(57)【要約】  限定されないが、少なくともＮ２におけるユーザ機器固有の関連付けを含む、ネットワークインターフェースおよび要素とのユーザ機器固有の関連付けの持続性によって引き起こされる、ネットワークの非効率性を低減する、ならびに／あるいは、取り除く方法、装置、および／またはシステムを提供するための、方法、装置、およびコンピュータプログラム製品が、例示的な実施形態に従って提供される。いくつかの例示的な実装では、ＡＭＦは、ＡＭＦの（Ｒ）ＡＮによる選択を可能にする、および、ＵＥがアイドルモードに入るとき、および／または、アイドルモードから接続モードに移行するときに起こり得るようなＮ１／Ｎ２トランザクションを、ＡＭＦが処理することを可能にする方式で、特定の識別を収容する一時的ＩＤをＵＥへ割り当て得る。
2020506624.tif 000002
【特許請求の範囲】
【請求項１】
方法であって、
第１のアクセスおよびモビリティ管理機能によってユーザ機器デバイスに割り当てられている一時的識別子を、アクセスネットワークによって受信することと、
ユーザ機器デバイスのアイドルモードから接続モードへの移行を検出することと、
一時的識別子に少なくとも部分的に基づいて、複数のアクセスおよびモビリティ管理機能の中から、アクセスおよびモビリティ管理機能を、アクセスネットワークによって選択することと、
選択されたアクセスおよびモビリティ管理機能をユーザ機器デバイスへ割り当てることとを含む、方法。
【請求項２】
一時的識別子が、ユーザ機器デバイスの識別を含む、請求項１に記載の方法。
【請求項３】
一時的識別子が、複数のアクセスおよびモビリティ管理機能の識別を含む、請求項１または２に記載の方法。
【請求項４】
一時的識別子が、第２のアクセスおよびモビリティ管理機能の識別を含む、請求項１から３のいずれか一項に記載の方法。
【請求項５】
第２のアクセスおよびモビリティ管理機能を利用できないことのインディケーションを、アクセスネットワークによって受信することをさらに含む、請求項４に記載の方法。
【請求項６】
第２のアクセスおよびモビリティ管理機能を利用できないことのインディケーションを、アクセスネットワークによって格納することをさらに含む、請求項５に記載の方法。
【請求項７】
複数のアクセスおよびモビリティ管理機能の中から、アクセスおよびモビリティ管理機能を、アクセスネットワークによって選択することが、
第２のアクセスおよびモビリティ管理機能が利用できないことのインディケーションを検出することと、
複数のアクセスおよびモビリティ管理機能の中から、第３のアクセスおよびモビリティ管理機能を選択することとを含む、請求項６に記載の方法。
【請求項８】
第２のアクセスおよびモビリティ管理機能を利用できないことのインディケーションが、第２のアクセスおよびモビリティ管理機能とアクセスネットワークとの間の制御プレーンインターフェースのリリースのインディケーション、および、ユーザ機器デバイスに関連付けられたユーザプレーンインターフェースの非リリースのインディケーションを備えた、請求項５に記載の方法。
【請求項９】
少なくとも１つのプロセッサと、コンピュータプログラムコードを記憶する少なくとも１つのメモリとを備えた装置であって、少なくとも１つのメモリおよびコンピュータプログラムコードが、少なくとも１つのプロセッサを用いて、装置に、少なくとも、
第１のアクセスおよびモビリティ管理機能によってユーザ機器デバイスに割り当てられている一時的識別子を受信させ、
ユーザ機器デバイスのアイドルモードから接続モードへの移行を検出させ、
一時的識別子に少なくとも部分的に基づいて、複数のアクセスおよびモビリティ管理機能の中から、アクセスおよびモビリティ管理機能を選択させ、
選択されたアクセスおよびモビリティ管理機能をユーザ機器デバイスへ割り当てさせる
ように構成された、装置。
【請求項１０】
一時的識別子が、ユーザ機器デバイスの識別を含む、請求項９に記載の装置。
【請求項１１】
一時的識別子が、複数のアクセスおよびモビリティ管理機能の識別を含む、請求項９または１０に記載の装置。
【請求項１２】
一時的識別子が、第２のアクセスおよびモビリティ管理機能の識別を含む、請求項９から１１のいずれか一項に記載の装置。
【請求項１３】
少なくとも１つのメモリおよびコンピュータプログラムコードが、少なくとも１つのプロセッサを用いて、装置に、少なくとも、
第２のアクセスおよびモビリティ管理機能を利用できないことのインディケーションを受信させるように、さらに構成された、請求項１２に記載の装置。
【請求項１４】
少なくとも１つのメモリおよびコンピュータプログラムコードが、少なくとも１つのプロセッサを用いて、装置に、少なくとも、
第２のアクセスおよびモビリティ管理機能を利用できないことのインディケーションを記憶させるように、さらに構成された、請求項１３に記載の装置。
【請求項１５】
複数のアクセスおよびモビリティ管理機能の中から、アクセスおよびモビリティ管理機能を選択するために、少なくとも１つのメモリおよびコンピュータプログラムコードが、少なくとも１つのプロセッサを用いて、装置に、少なくとも、
第２のアクセスおよびモビリティ管理機能が利用できないことのインディケーションを検出させ、
複数のアクセスおよびモビリティ管理機能の中から第３のアクセスおよびモビリティ管理機能を選択させるように、さらに構成された、請求項１４に記載の装置。
【請求項１６】
第２のアクセスおよびモビリティ管理機能を利用できないことのインディケーションが、第２のアクセスおよびモビリティ管理機能とアクセスネットワークとの間の制御プレーンインターフェースのリリースのインディケーション、および、ユーザ機器デバイスに関連付けられたユーザプレーンインターフェースの非リリースのインディケーションを備えた、請求項１３に記載の装置。
【請求項１７】
コンピュータにより実行可能なプログラムコード命令を記憶した少なくとも１つの非一時的なコンピュータ可読記憶媒体を備えたコンピュータプログラム製品であって、コンピュータにより実行可能なプログラムコード命令が、
第１のアクセスおよびモビリティ管理機能によってユーザ機器デバイスに割り当てられている一時的識別子を、アクセスネットワークによって受信し、
ユーザ機器デバイスのアイドルモードから接続モードへの移行を検出し、
一時的識別子に少なくとも部分的に基づいて、複数のアクセスおよびモビリティ管理機能の中から、アクセスおよびモビリティ管理機能を、アクセスネットワークによって選択し、
選択されたアクセスおよびモビリティ管理機能をユーザ機器デバイスへ割り当てる
ように構成されたプログラムコード命令を備えた、コンピュータプログラム製品。
【請求項１８】
一時的識別子が、ユーザ機器デバイスの識別を含む、請求項１７に記載のコンピュータプログラム装置。
【請求項１９】
一時的識別子が、複数のアクセスおよびモビリティ管理機能の識別を含む、請求項１７または１８に記載のコンピュータプログラム装置。
【請求項２０】
一時的識別子が、第２のアクセスおよびモビリティ管理機能の識別を含む、請求項１７から１９のいずれか一項に記載のコンピュータプログラム装置。
【請求項２１】
第２のアクセスおよびモビリティ管理機能を利用できないことのインディケーションを、アクセスネットワークによって受信するように構成されたプログラムコード命令をさらに備えた、請求項２０に記載のコンピュータプログラム装置。
【請求項２２】
第２のアクセスおよびモビリティ管理機能を利用できないことのインディケーションを、アクセスネットワークによって格納するように構成されたプログラムコード命令をさらに備えた、請求項２１に記載のコンピュータプログラム装置。
【請求項２３】
複数のアクセスおよびモビリティ管理機能の中から、アクセスおよびモビリティ管理機能を、アクセスネットワークによって選択するために、プログラムコード命令が、
第２のアクセスおよびモビリティ管理機能が利用できないことのインディケーションを検出し、
複数のアクセスおよびモビリティ管理機能の中から第３のアクセスおよびモビリティ管理機能を選択するように構成された、請求項２２に記載のコンピュータプログラム装置。
【請求項２４】
第２のアクセスおよびモビリティ管理機能を利用できないことのインディケーションが、第２のアクセスおよびモビリティ管理機能とアクセスネットワークとの間の制御プレーンインターフェースのリリースのインディケーションと、ユーザ機器デバイスに関連付けられたユーザプレーンインターフェースの非リリースのインディケーションとを備えた、請求項２１に記載のコンピュータプログラム装置。
【請求項２５】
第１のアクセスおよびモビリティ管理機能によってユーザ機器デバイスに割り当てられている一時的識別子を、アクセスネットワークによって受信するための手段と、
ユーザ機器デバイスのアイドルモードから接続モードへの移行を検出するための手段と、
一時的識別子に少なくとも部分的に基づいて、複数のアクセスおよびモビリティ管理機能の中から、アクセスおよびモビリティ管理機能を、アクセスネットワークによって選択するための手段と、
選択されたアクセスおよびモビリティ管理機能をユーザ機器デバイスへ割り当てるための手段とを備えた、装置。
【請求項２６】
一時的識別子が、ユーザ機器デバイスの識別を含む、請求項２５に記載の装置。
【請求項２７】
一時的識別子が、複数のアクセスおよびモビリティ管理機能の識別を含む、請求項２５または２６に記載の装置。
【請求項２８】
一時的識別子が、第２のアクセスおよびモビリティ管理機能の識別を含む、請求項２５から２７のいずれか一項に記載の装置。
【請求項２９】
第２のアクセスおよびモビリティ管理機能を利用できないことのインディケーションを、アクセスネットワークによって受信するための手段をさらに備えた、請求項２８に記載の装置。
【請求項３０】
第２のアクセスおよびモビリティ管理機能を利用できないことのインディケーションを、アクセスネットワークによって格納するための手段をさらに備えた、請求項２９に記載の装置。
【請求項３１】
複数のアクセスおよびモビリティ管理機能の中から、アクセスおよびモビリティ管理機能を、アクセスネットワークによって選択することが、
第２のアクセスおよびモビリティ管理機能が利用できないことのインディケーションを検出することと、
複数のアクセスおよびモビリティ管理機能の中から第３のアクセスおよびモビリティ管理機能を選択することとを含む、請求項３０に記載の装置。
【請求項３２】
第２のアクセスおよびモビリティ管理機能を利用できないことのインディケーションが、第２のアクセスおよびモビリティ管理機能とアクセスネットワークとの間の制御プレーンインターフェースのリリースのインディケーションと、ユーザ機器デバイスに関連付けられたユーザプレーンインターフェースの非リリースのインディケーションとを備えた、請求項２９に記載の装置。
【発明の詳細な説明】
【技術分野】
【０００１】
例示的な実施形態は一般に、特に、ネットワークインターフェースおよび要素とのユーザ機器固有の関連付けの持続性によって引き起こされる、ネットワークの非効率性に対処することのコンテキストにおける、無線ネットワークアクセスおよび通信技術に関する。
【背景技術】
【０００２】
無線ネットワークを介した通信および高品質のデータ転送に携わる能力は、個人が依存する現代生活の重要な側面となっている。ユーザによって広く採用されてきた従来のモバイル電話およびテキストベースの通信に加えて、ネットワークオペレータ、およびネットワークオペレータが制御するネットワークは、既存の技術および新たな技術に対する機能強化のためのサポートを提供するための高まる要求に直面している。ネットワークおよびそのオペレータは通常、ユーザの期待および要求を満たすことができるが、ネットワークの接続性、帯域幅、および速度に対する、高まり続ける要求は、有限のネットワークリソースに負担をかける可能性がある。
【０００３】
この結果、ネットワークオペレータは、ネットワークリソースを転用したり、さもなければ望ましくないネットワーク性能に寄与する、潜在的なネットワーク非効率性の源を低減または取り除こうと常に努力している。ネットワーク環境内でのユーザ機器固有の関連付けの持続性によって引き起こされる潜在的な問題を取り除くことは、多くの技術的課題を提起する。本明細書に開示された本発明の発明者らは、これらおよび他の技術的課題を識別し、そして本明細書に説明、さもなければ参照されているソリューションを開発した。
【発明の概要】
【課題を解決するための手段】
【０００４】
したがって、限定されないが、少なくともＮ２上のユーザ機器固有の関連付けを含む、ネットワークインターフェースおよび要素とのユーザ機器固有の関連付けの持続性によって引き起こされる、ネットワークの非効率性を低減する、ならびに／あるいは、取り除く、方法、装置、および／またはシステムを提供するための、例示的な実施形態による方法、装置、およびコンピュータプログラム製品が提供される。本明細書で使用される「Ｎ２」という用語は、（たとえば、限定されないが、無線アクセスネットワーク（ＲＡＮ）および／または別のアクセスネットワークを含む）任意のアクセスネットワーク（ＡＮ）と、（たとえば、アクセスおよびモビリティ管理機能（ＡＭＦ）のような）機能をホストするコアネットワークとの間の、任意の制御プレーンインターフェースを表し、この機能は、前記ＡＮに接続されたユーザ機器（ＵＥ）をサーブし、このようなＵＥのためのアクセス制御およびモビリティ管理を提供するために、ＡＮとインターフェースする機能を含むことが、認識されるであろう。本明細書で使用される（Ｒ）ＡＮという用語は、限定されないが、ＲＡＮ、および／または、ＡＮの一部としてＲＡＮを含んでも含まなくてもよい別のアクセスネットワークを含む、任意のアクセスネットワークを指すことが、認識されるであろう。いくつかの例示的な実装では、ＡＭＦは、ＡＭＦの（Ｒ）ＡＮによる選択を可能にし、ＵＥがアイドルモードへ入る、および／または、アイドルモードから接続モードへ移行する場合に生じるような、Ｎ１／Ｎ２トランザクションをＡＭＦが処理することを可能にする方式で、特殊化された識別を収容する一時的ＩＤをＵＥへ割り当て得る。
【０００５】
本明細書に説明、および／または、さもなければ開示されている本発明の多くの例示的な実装は、以下の特徴を示しているか、および／または、さもなければ以下の原理を示しているソリューションを提供および／または促進することができる：
【０００６】
（１）少なくともいくつかの例示的な実装では、一時的ＩＤは、ＵＥを識別し、登録されたＵＥコンテキストの場所を特定し、ＡＭＦのプールを識別し、および／または、オプションで、特定のＡＭＦインスタンスを識別するのに十分な情報を含むべきである。さらに、一時的ＩＤは、（Ｒ）ＡＮが特定のＤＣ内のＡＭＦを選択することを支援するデータセンタを識別し、および／または、特定のベンダからＡＭＦを選択することを支援するベンダＩＤを識別し得る。
【０００７】
（２）関係するＡＭＦが「非スティッキー」になることを望む状況において、そのＡＭＦは、Ｎ２がリリースされているが、（たとえば、ユーザプレーンインターフェースであり得る）Ｎ３は、所与のＵＥのために依然としてアクティブであることを示すために、（Ｒ）ＡＮにハイブリッドリリースを送信し得る。
【０００８】
（３）３ＧＰＰにおけるＮ２スティッキー性除去への規定されたアプローチを含む状況では、実装特有のオプションとして、ＡＭＦがスティッキーであり続けるか否かを決定することをＡＭＦに許可するべきである。このため、１つ以上のステートレスおよび／またはステートフルＡＭＦが、オペレータのネットワークにおいて配備されるようにするべきである。
【０００９】
（４）（ａ）多くの例示的な実装では、ＡＭＦが、他のＣＰ  ＮＦに「ハイブリッドリリース」インディケーションを送信して、ＡＭＦがもはや所与のＵＥをこれ以上サーブしていないことを示すことができる。
【００１０】
他の状況では、ＡＭＦが、ＩＤＬＥからＣＯＮＮＥＣＴＥＤに移行する任意のＵＥをサーブすることを中止することを望む場合、ＡＭＦは、ＡＭＦがインターフェースする他のＣＰ  ＮＦに「ＡＭＦ毎」のハイブリッドリリースインディケーションを送信し得る。いくつかのこのような状況では、ＡＭＦは、ＵＥをサーブすることを開始するときに、ＣＰ  ＮＦの同じセットアップに対して「ＡＭＦ毎」のセットアップインディケーションを送信し得る。いくつかの例示的な実装では、ＡＭＦとインターフェースする他のＣＰ  ＮＦが、少なくともＡＭＦグループＩＤおよび／またはＡＭＦインスタンスＩＤを含み得るＡＭＦ  ＩＤ情報を収容することも仮定され得る。この結果、ＣＰ  ＮＦは、ハイブリッドリリースインディケーションを受信したとき、ＣＰ  ＮＦは、対応するＵＥコンテキスト情報からＡＭＦインスタンスＩＤを除去し得る。このため、後続するＭＴトランザクションに対して、選択のためにＡＭＦグループＩＤしか使用しないであろう。
【００１１】
（４）（ｂ）いくつかの状況では、中央リポジトリが、（Ｒ）ＡＮおよび／または他のコアＣＰ  ＮＦによって選択されたＡＭＦの検証のために必要となり得る。
【００１２】
（４）（ｃ）いくつかの状況では、競合状態を解決するために、ＡＭＦリダイレクトソリューションのサポートが必要である。
【００１３】
（５）いくつかの状況では、ＡＭＦスティッキー性除去要件は、ＵＥに対してアグノスティック（ａｇｎｏｓｔｉｃ）である。これは、古いサービングＡＭＦ（すなわち、１つ以上の以前のＵＥ固有のトランザクションをサーブしているＡＭＦ）および新たなサービングＡＭＦ（すなわち、新たなＵＥ固有のトランザクションをサーブしているＡＭＦ）が同様の機能およびサービスをサポートすることを示唆する。
【００１４】
このように本開示の特定の例示的な実施形態を一般的な用語で記載したが、以下は、必ずしも一定の縮尺で描かれている訳ではない添付図面に対する参照がなされる。
【図面の簡単な説明】
【００１５】
【図１】本発明の例示的な実施形態による実装が実施され得る例示的なシステム環境を示す図である。
【図２】本発明の例示的な実施形態に従って特に構成され得る装置のブロック図である。
【図３】本発明の例示的な実施形態に従って、たとえば図２の装置によって実施される動作のセットを示すフローチャートである。
【図４】本発明の例示的な実施形態に従って、たとえば図２の装置によって実施される動作のセットを示す別のフローチャートである。
【図５】本発明の例示的な実施形態に従って、たとえば図２の装置によって実施される動作のセットを示す別のフローチャートである。
【発明を実施するための形態】
【００１６】
明確化の目的のために、ならびに、本明細書に説明、および／または、さもなければ開示されている本発明の範囲内で可能であり得る、１つ以上の例示的な実装の詳細を提供するために、図面の多くは無線アクセスネットワークまたはＲＡＮに言及する。しかし、本発明は、任意の種類のアクセスネットワークおよび／またはアクセスネットワークの組合せに適用され、それらに従って実施され得るので、このような例が、本発明の範囲を、ＲＡＮを含み得る実装のみに限定することは意図されないことが、認識されるべきである。
【００１７】
以下、本発明のすべてではないが、いくつかの実施形態が図示されている添付図面を参照して、いくつかの実施形態が、さらに十分に説明されるであろう。実際、本発明の様々な実施形態は、多くの異なる形態で具体化することができ、本明細書に記載の実施形態に限定されると解釈されるべきではなく、むしろ、これら実施形態は、本開示が適用可能な法的要件を満たすように提供される。全体を通して、同じ参照番号は同じ要素を指す。本明細書で使用されるとき、「データ」、「コンテンツ」、「情報」のような用語、および同様の用語は、本発明の実施形態に従って送信、受信、および／または記憶されることが可能なデータを指すために置き換え可能に使用され得る。したがって、このような用語の使用は、本発明の実施形態の精神および範囲を限定するものと解釈されるべきではない。
【００１８】
加えて、本明細書で使用されるとき、「回路」という用語は、（ａ）ハードウェアのみの回路実装（たとえば、アナログ回路および／またはデジタル回路における実装）、（ｂ）本明細書に説明された１つ以上の機能を装置に実施させるために協働する、１つ以上のコンピュータ可読メモリに記憶されたソフトウェア命令および／またはファームウェア命令を備えた回路およびコンピュータプログラム製品の組合せ、および、（ｃ）ソフトウェアまたはファームウェアが物理的に存在しないとしても、動作のために、ソフトウェアまたはファームウェアを必要とする、たとえば、マイクロプロセッサまたはマイクロプロセッサの一部のような回路を指す。この「回路」の定義は、任意の請求項を含む、本明細書におけるこの用語のすべての使用に当てはまる。さらなる例として、本明細書で使用されるとき、「回路」という用語はまた、１つ以上のプロセッサおよび／またはこの一部、ならびに付随するソフトウェアおよび／またはファームウェアを備えた実装も含む。別の例として、本明細書で使用されるような「回路」という用語は、たとえば、モバイル電話用のベースバンド集積回路またはアプリケーションプロセッサ集積回路、あるいは、サーバ、セルラネットワークデバイス、他のネットワークデバイス、および／または他のコンピューティングデバイス内の同様の集積回路をも含む。
【００１９】
本明細書で定義されるように、非一時的な物理的記憶媒体（たとえば、揮発性または不揮発性のメモリデバイス）を指す「コンピュータ可読記憶媒体」は、電磁気信号を指す「コンピュータ可読伝送媒体」と区別され得る。
【００２０】
方法、装置、およびコンピュータプログラム製品は、限定されないが、少なくともＮ２におけるユーザ機器固有の関連付けを含む、ネットワークインターフェースおよび要素とのユーザ機器固有の関連付けの持続性によって引き起こされる、ネットワークの非効率性を低減および／または取り除くために、例示的な実施形態に従って提供される。本明細書で開示、さもなければ企図されている本発明の例示的な実施形態の多くの実装は、アクセスネットワーク（上記のように、本明細書では（Ｒ）ＡＮと称され得る）環境内のアクセスおよびモビリティ管理機能（ＡＭＦ）が後続するＮ１／Ｎ２トランザクションを処理することを可能にすることに向けられ、この後続するＮ１／Ｎ２トランザクションは、限定されないが、アイドルモードに入る、および／または、アイドルモードから接続モードへ移行し得る、１つ以上のＵＥを伴うようなトランザクションを含む。このような例示的な実装は、ＵＥ固有の関連付けの持続性（「スティッキー性」と称され得る）によって引き起こされる問題を低減または取り除くことをサポートでき、この関連付けは、限定されないが、少なくともＮ２上のこのような関連付けを含む。
【００２１】
第５世代（５Ｇ）および他の高度なネットワークの開発が進むにつれて、ネットワーキング業界および他の関係する分野の多くの参加者は、このようなネットワークに対して提供され遭遇され得る多くの特色および状況を認識している。たとえば、５Ｇ規格およびプロトコルに忠実な多くのネットワーク環境が、１秒あたり１ギガバイト以上のオーダのアップリンクおよびダウンリンクの帯域幅をオンデマンドで供給できるブロードバンド接続を可能にすることが、期待できる。このようなネットワーク環境はまた、即時の（すなわち、たとえば非常に低いｅ２ｅレイテンシを伴う）同期アイハンドフィードバックを可能にし得る重要なマシン型通信をサポートでき、たとえばロボットおよび車両の遠隔制御を可能にし得る。このようなネットワークはまた、たとえば、何十億ものセンサとマシンとを接続する大量のマシン型通信をサポートすることもできる。
【００２２】
４Ｇネットワークに関連付けられた設計要件と、５Ｇおよび／または同様のネットワークに関連付けられた設計要件との間の潜在的に顕著な違いのうちの１つは、たとえば、５Ｇネットワークがサポートすることを要求され得るユースケースの多様性である。これは、多くの４Ｇネットワークが主に高速モバイルブロードバンド接続を供給する単一のユースケースのために設計されたことを考慮すると特に明らかである。対照的に、いくつかの提案は、５Ｇネットワークが新たな無線アクセス技術ファミリーのみに限定されるのではなく、５Ｇアーキテクチャが多数の特質に拡張し得ることを企図している。特に、いくつかのこのような提案は、（たとえば、セルラ、Ｗｉ−Ｆｉ、および／または固定技術のような）多数の無線技術、（たとえば、モノのインターネット（ＩｏＴ）、モバイルブロードバンド、および／または、低レイテンシ−高信頼性サービスのような）多数のサービス、および、多数のネットワークおよびサービスオペレータのための共通のコアの使用を企図している。
【００２３】
５Ｇおよび５Ｇタイプのネットワークが、これらおよび他の設計目標を満たすことを可能にするために、多くの技術的課題が克服、および／または、さもなければ対処されねばならない。本発明者および他の業界関係者によって認識されているこのような１つの技術的課題は、Ｎ２スティッキー性の除去である（たとえば、少なくともＮ２スティッキー性除去は、ｒｅｌ−１５に規定されるべきであるという合意がＴＲ２３．７９９に反映されている）。特に、５Ｇネットワークの開発に対するいくつかのアプローチは、アーキテクチャが、少なくともＮ２上のＵＥ固有の関連付けの持続性（またはスティッキー性）によって引き起こされる問題を回避するためのメカニズムをサポートすべきであると企図している。
【００２４】
この技術的課題の態様に対するいくつかのアプローチは、ＵＥが接続モードにある状況を企図する。このようなアプローチでは、ＵＥが接続モードにあるときにＡＭＦがサービングノードであり続ける場合、関係する（Ｒ）ＡＮ（無線）アクセスネットワーク（ＡＮ）は、正しいＡＭＦプールおよび正しいＡＭＦインスタンスを選択するために、ＡＭＦグループＩＤおよびＡＭＦインスタンスＩＤまたはＮ２ＡＰ−ＩＤを使用する。このようなコンテキストでは、ＡＭＦが、ステートレスになることを望む事象において、ＡＭＦは、Ｎ２がリリースされているがＮ３がアクティブであることを示す「ハイブリッドリリース」のインディケーションを、（Ｒ）ＡＮに送信する。このハイブリッドリリースに基づいて、（Ｒ）ＡＮは、ＡＭＦがもはやサービングノードではないことを通知されるようになる。このような場合、（Ｒ）ＡＮは、ＡＭＦグループＩＤのみを使用して、正しいＡＭＦプールを選択する。その後、（Ｒ）ＡＮは、Ｎ１／Ｎ２メッセージを転送するために任意のＡＭＦを選択し得る。このような状況では、選択されたＡＭＦは、一時的ＩＤ内のＤＳ  ＩＤを使用して、関係するＵＥコンテキストを取得し、トランザクションを処理する。
【００２５】
このアプローチ自体が、追加の技術的課題を提起および明示している。このアプローチは、（Ｒ）ＡＮが、ＡＭＦ選択を適切に実施するためにＵＥコンテキストを覚えていると仮定しているので、ＵＥおよび／または他の関係するネットワーク要素が、「アイドルモード」にあるときに課題が生じる、何故ならＵＥがアイドルモードにあるとき、（Ｒ）ＡＮはＵＥコンテキストを喪失するからである。本明細書で開示、および／または、さもなければ企図されている本発明の発明者らが認識している技術的課題の１つは、アイドル状態から接続状態への移行中にＵＥが初期ＮＡＳメッセージを送信するときに、（Ｒ）ＡＮは、ＡＭＦ選択のためにＡＭＦグループＩＤだけを使用するか、またはＡＭＦグループＩＤとインスタンスＩＤとの両方を使用するかをどのように知るのかを決定することについて、である。この技術的課題の一態様は、（Ｒ）ＡＮが、関係するハイブリッドリリースインディケーションを覚えていると仮定できないときに生じる。
【００２６】
本明細書に説明、企図、および、さもなければ開示されている本発明の例示的な実施形態の実装は、ネットワーク環境におけるＮ２および／または他のスティッキー性の除去をサポートするためのソリューションを提供することに向けられている。多くのこのような例示的な実装は、任意のＡＭＦが、後続するＮ１／Ｎ２トランザクションを処理することを可能にすることに向けられている。いくつかのこのような例示的な実装は、特に、１つ以上のＵＥがアイドルモードに入る、および／または、アイドルモードから接続モードに移行する状況において、任意のＡＭＦが、後続するＮ１／Ｎ２トランザクションを処理できるようにすることに向けられている。
【００２７】
多くの状況において、（限定されないが、５Ｇまたは同様のネットワーク環境を含む）ネットワーク環境からＮ２スティッキー性を除去するための要件は、ＡＭＦが、特定のＵＥのためのサービングＡＭＦになることを望まないことを決定できることを含み得、これは、限定されないが、ＵＥが（いくつかの状況では、たとえば、ＲＲＣ−Ｃｏｎｎｅｃｔｅｄ／ＲＲＣ−ＣｏｎｎｅｃｔｅｄＩｎａｃｔｉｖｅと称され得る）ＣＭ−ＣＯＮＮＥＣＴＥＤモードにある、および／または、ＵＥがＣＭ−ＩＤＬＥモードにある、状況およびコンテキストを含むこと、が認識されるであろう。いくつかの状況では、ＡＭＦ内のこの決定のトリガは、実装固有のものである（たとえば、Ｎ１／Ｎ２トランザクションの完了時、および／または、内部負荷分散の理由、またはそれ以外に基づく）。いくつかの状況では、ＡＭＦは、サービングＡＭＦとしてこれ以上あり続けることを望まないと決定したとき、１つ以上のＵＥ固有の接続をリリースし、ＵＥのために提供されるサービスに影響を与えることなく、および、ＵＥに向かう追加のシグナリングもなく、ＵＥコンテキストをどこか別の場所に（たとえば、外部のデータベースに）格納し得る。結果として、後続するＵＥ固有のトランザクションのために、リクエスタ（ｒｅｑｕｅｓｔｅｒ）ネットワーク機能（ＮＦ）（たとえば、（Ｒ）ＡＮおよび／または他のＮＦなど）が、所与のＵＥをサーブするためにＡＭＦを選択する能力を有することが不可欠になり得る。さらに、いくつかの状況では、１つ以上の関係するメッセージを処理するために、ＡＭＦがＵＥコンテキストを取得できることが不可欠であり得る。
【００２８】
いくつかのコンテキストでは、いくつかのＡＭＦ実装は、（たとえば、記憶装置からのコンピューティングの分離を可能にし得る）別個のデータベースに、（不透明な（ｏｐａｑｕｅ））ＵＥコンテキストを格納し得る一方、他のいくつかのＡＭＦ実装は、ＡＭＦ自体内にＵＥコンテキストを格納し得ることが、認識されるであろう。進化型パケットシステム（ＥＰＳ）において生じるいくつかの例示的な実装では、モビリティ管理エンティティ（ＭＭＥ）が、関係するＵＥのために一時的ＩＤを割り当てたとき、ＵＥは、あるサービングＭＭＥに関連付けられ得る。この結果、グローバルに一意な一時的ＩＤ（ＧＵＴＩ）は、ＭＭＥＧＩとＭＭＥＣとの両方を収容していた。５Ｇシステムおよび／または同様のシステムに関しては、ＵＥと特定のＡＭＦとの関連付けを解除することによりスティッキー性を除去するために、いくつかの例示的な実装は、一般に、ＵＥを、ＵＥコンテキストが格納される場所に関連付けることを企図する。このアプローチは、ＡＭＦ実装オプションが機能することも可能にすることが、認識されるであろう。さらに、このようないくつかの場合、ターゲットＡＭＦは、関係するＵＥコンテキストが格納されている場所へのポインタを得るために、一時的ＩＤを使用することができる。
【００２９】
いくつかの例示的な実装では、新たなＡＭＦが、関係するＵＥコンテキストの正確な格納場所がどこであるかを決定論的に知ることが不可欠であるとみなされ得る。いくつかのこのような状況では、登録されたＵＥコンテキストの場所の特定を許可する情報が含まれていない場合、ＵＥがアイドルモードから移行するたびに、ホームネットワークとの完全認証を起動する必要があり得る。ホームネットワークとのこのような完全認証の繰り返される実施は、多くのネットワーク環境において望ましくない可能性があり、したがって、このようなコンテキストでは回避されるべきであることが、認識されるであろう。さらに、ＵＥに関連付けられた一時的ＩＤが、ネットワーク内で解決されない状況は、特にこのような状況が、ＵＥが別のネットワーク要素に長期の識別子を送信することを要求する限りにおいて、プライバシへのかかわりを引き起こす可能性がある。
【００３０】
したがって、本明細書に説明、企図、および／または、さもなければ開示されている本発明の例示的な実施形態の多くの実装は、任意のＡＭＦインスタンスが、後続するＮ１／Ｎ２トランザクションを処理することを効果的に可能にすることに関連付けられた、少なくとも以下の２つの態様：（１）ＵＥ固有のＭＯ／ＭＴトランザクションのためのＡＭＦ選択、および（２）ＵＥコンテキスト格納および取得、に対処する。いくつかのこのような例示的な実装は、以下の原理：（１）個々のＮＡＳまたはＮ２手順の間、関係するＵＥは、同じＡＭＦインスタンスによってサーブされるものとする、（２）１つのＵＥから時間分離されたＮＡＳまたはＮ２手順は、ＡＭＦの異なるインスタンスを使用することを許可される、（３）（たとえば、一時的ＩＤ再割当のためのような）追加のシグナリングなしで、非アクティブなＵＥへの「ＵＥ毎の関連付け」をＡＭＦからリリースすることが可能であるべきである、（４）特定のＵＥについて、所与の時点でただ１つのサービングＡＭＦのみが存在し得る、が仮定され得るコンテキストにおいて生じることが、認識されるであろう。
【００３１】
Ｎ２スティッキー性の除去を容易化、および／または、さもなければ実装するため、および／または、さもなければ、Ｎ２ならびに／あるいは他のインターフェース上の、ＵＥ固有の関連付けの持続性に関係する問題に対処するために、本明細書に説明、および／または、さもなければ企図されている例示的な実装の多くは、ＵＥに関連付けられ得る他の関係するネットワーク要素による、または、ＡＭＦによる、一時的ＩＤの使用を含む。多くのこのような例示的な実装は、一時的ＩＤを割り当てるためのそれぞれのアプローチにおいて以下の事項を考慮する：
【００３２】
（１）統一された認証フレームワークのサポートが有益である状況において生じるいくつかの例示的な実装では、ＡＭＦによって割り当てられた一時的ＩＤは、３ＧＰＰおよび非３ＧＰＰアクセスシナリオに共通するように実装され得る。たとえば、所与のＵＥのための単一のセキュリティコンテキストにアクセスするために、同じ一時的ＩＤが使用され得る。
【００３３】
（２）いくつかの例示的な実装では、一時的ＩＤは、ネットワーク内の登録されたＵＥコンテキストの場所を許可する情報を含み得る。いくつかのこのような例示的な実装では、計算機能を格納機能から分割するという原理に適応するような方式で、一時的ＩＤを構造化することが有利であり得る。ステートフルな、およびステートレスなＡＭＦ実施の両方が可能であり得、ステートフルな、およびステートレスなＡＭＦ実装に関連付けられたアクションが、サポートされ得るか、および／または、さもなければ、一時的ＩＤを介して容易化され得ることが、認識されるべきである。
【００３４】
（３）いくつかの例示的な実装では、登録されたＵＥコンテキストの場所を特定するために十分な情報が、一時的ＩＤとともに含まれていない状況を回避することは、ＵＥがアイドルモードまたは状態から戻るたびに、関係するＵＥコンテキストの場所を特定できないことが、ホームネットワークとの完全認証手順の起動をトリガする傾向にある場合に特に、有利であり得る。
【００３５】
（４）いくつかの状況では、一時的ＩＤを解決する能力がないこと、特にこのような能力がないことが、ＵＥによる長期的な識別子の送信を必要とする傾向がある状況では、プライバシへのかかわりを与える可能性がある。
【００３６】
一時的ＩＤの割当に関連付けられたこれらおよび他の事項を考慮して、いくつかの例示的な実装は、以下の情報：（１）ＵＥを一意に識別する情報（たとえば、一時的ＩＤを割り当てたエンティティに関する情報を含み得る）、（２）ＡＭＦの関係するプールを識別する情報（たとえば、ＡＭＦグループＩＤなど）、（３）関係するＡＭＦインスタンスの識別（これは、たとえば、恐らくは、それはＡＭＦの選択には有効ではないことのインディケーションに関連付けられ得る）、および（４）関係する登録されたＵＥコンテキストの場所の特定を可能にするのに十分である情報、の少なくともいくつかおよび／またはすべてを含み得る一時的ＩＤの使用を含むか、さもなければ企図している。一時的ＩＤの正確なフォーマット、および／または、一時的ＩＤに関連付けられた情報を符号化するために使用されるアプローチは、正確なネットワーク環境、このネットワーク環境に関連付けられたプロトコル、および／または、他の考慮事項に依存して変わり得ることが、認識されるであろう。したがって、必要な情報を含んでいるか、さもなければ、特定のネットワーク環境の要件に適合している一時的ＩＤを、構造化および／または符号化するための任意のアプローチが使用され得る。いくつかの例示的な実装では、特にページングおよび／またはグループ内の一意のＤＢの存在を含む考慮事項、および、一時的ＩＤが、関係するＡＭＦ情報の１つ以上の部分を収容しない場合があるという観点から、領域内の一時的ＩＤの統一性を保証することが有益であり得る。
【００３７】
本明細書で論じられるように、本発明の実施形態の多くの例示的な実装は、ＡＭＦまたは他の関係するネットワーク要素における一時的ＩＤの新規の使用により、ネットワークインターフェースおよび要素とのユーザ機器固有の関連付けの持続性によって引き起こされる、ネットワーク非効率性を低減および／または取り除くことを提供する。特に、本発明の実施形態のいくつかの例示的な実装は、限定されないが、１つ以上のＵＥがアイドルモードに入る、および／または、アイドルモードから接続モードへ移行する状況において生じ得るトランザクションを含む、後続するＮ１／Ｎ２トランザクションを、任意のＡＭＦが処理することを可能にするための、一時的ＩＤおよび関係する新規プロトコルの使用を企図する。
【００３８】
例示的な実施形態の方法、装置、およびコンピュータプログラム製品は、様々な異なるシステムにおいて配備され得るが、本発明の例示的な実施形態に従って本明細書で論じ、企図される手順から利益を得ることができるシステムの一例が図１に示される。図１のシステム環境１００の描写は、本明細書に説明および企図される実施形態を、任意の特定の要素またはシステムの構成に限定することも、または、さもなければ規定することも意図されておらず、また、本発明の実施形態に関連して使用され得る構成およびシステムのセットについていずれの代替構成またはシステムを取り除くことも意図されていない。むしろ、図１、および図１に開示されているシステム環境１００は、本明細書に開示および企図されている方法、装置、およびコンピュータプログラム製品のいくつかの特徴、態様、および使用の促進のための例示的な基礎およびコンテキストを提供するために、単に提示されている。図１に提示された態様および構成要素の多くは、個別の別々の要素として示されているが、態様および／または構成要素を組み合わせる、省略する、ならびに／あるいは、追加する構成を含む他の構成が、本明細書で説明される方法、装置、およびコンピュータプログラムに関連して使用され得ることが、理解されよう。
【００３９】
図１に示すように、システム環境は、アクセスネットワークを介するなどして、ネットワーク１０６と無線で通信するように構成された１つ以上のユーザ機器１０２を備える。ユーザ機器は、様々な異なる方式で構成され得るが、ユーザ機器は、携帯情報端末（ＰＤＡ）、モバイル電話、スマートフォン、ページャ、モバイルテレビ、ゲームデバイス、ラップトップコンピュータ、カメラ、タブレットコンピュータ、コミュニケータ、パッド、ヘッドセット、タッチ面、ビデオレコーダ、オーディオ／ビデオプレーヤ、無線、電子ブック、測位デバイス（たとえば、全地球測位システム（ＧＰＳ）デバイス）、またはこれらの任意の組合せ、および他のタイプの音声およびテキストおよびマルチモーダル通信システムのようなモバイル端末として具体化され得る。図１に示すように、システム環境１００は、（たとえば、ノードＢ、進化型ノードＢ（ｅＮＢ）などのような）基地局のような１つ以上のアクセスポイント１０４ａ、１０４ｂも含む。基地局などのセルラアクセスポイントは、１つ以上のセルを規定し、サービスし得る。アクセスポイントは、順番に、ゲートウェイを介してコアネットワークなどのネットワーク１０６と通信し得、これによって、アクセスポイントは、セルラ無線アクセスネットワークを確立し、これによってユーザ機器１０２は、ネットワークと通信し得る。図１のシステム環境１００は、たとえば、５Ｇ無線アクセスネットワーク、ＬＴＥ無線アクセスネットワーク、ＵＭＴＳ（ｕｎｉｖｅｒｓａｌ  ｍｏｂｉｌｅ  ｔｅｌｅｃｏｍｍｕｎｉｃａｔｉｏｎｓ  ｓｙｓｔｅｍ：ユニバーサル移動体通信システム）無線アクセスネットワークなどを含む、複数の異なるセルラ無線アクセスネットワークを含み得る。いくつかの例示的な実装では、多数の異なるセルラ無線アクセスネットワークに関連付けられた機器および他のインフラストラクチャは、アクセスポイント１０４ａおよび１０４ｂなどの特定のアクセスポイントに関連付けられた、構造物および／または他の機器において、またはこれらの近くにおいて設置され得る。
【００４０】
システム環境１００のいくつかの実装では、アクセスポイント１０４ａ、１０４ｂ、および所与のエリア内の他の任意のアクセスポイントによってサービスされるセルラ無線アクセスネットワークは、ユーザ機器１０２が、アクセスポイント１０４ａによってサービスされるエリアから、アクセスポイント１０４ｂによってサービスされるエリアへ移動すると、ユーザ機器１０２は、アクセスポイントにわたって同じベンダによって提供される無線アクセスネットワークを介して、ネットワーク１０６にアクセスすることができるという意味において同一である。図示されていないが、システムはまた、アクセスポイントの動作と、アクセスポイントと通信するユーザ機器１０２の管理とを容易にするために、（たとえば基地局などの）１つ以上のセルラアクセスポイントに関連付けられたコントローラを含み得る。図１に示すように、システムは、１つ以上の無線ローカルエリアネットワーク（ＷＬＡＮ）も含むことができ、これらの各々は、ユーザ機器との無線通信を確立するように構成されたＷＬＡＮアクセスポイント１０８によってサービスされ得る。このため、ユーザ機器は、図１の実線で示されるように、ＷＬＡＮアクセスポイントを介して、あるいは破線で示されるように、セルラアクセスポイントを介してネットワークと通信し得る。無線アクセスネットワークのみならずコアネットワークは、ルータ、スイッチ、サーバ、ゲートウェイ、および／または、コントローラなどの追加のネットワーク要素からなり得る。
【００４１】
ＡＭＦにおける一時的ＩＤおよび関係のあるプロトコルの使用に関連して、ＵＥ固有の関連付けのスティッキー性によって引き起こされ得るネットワーク性能問題が低減および／または取り除かれ得る。これに関して、ＡＭＦがネットワーク環境において、後続するＮ１／Ｎ２トランザクションおよび／または同様のトランザクションを処理することを可能にすることは、図２に示されるような装置２００によって達成され得る。この装置は、ユーザ機器１０２のような１つ以上のＵＥ、または、アクセスポイント１０４ａおよび／または１０４ｂ、１つ以上のＷＬＡＮアクセスポイント１０８、および／または、システム環境１００に組み込まれ得るか、または、さもなければ関連付けられ得るデバイスのような、図１に関して論じられた他の任意のデバイスのいずれかによって具体化され得るか、および／または、これらに組み込まれ得る。あるいは、装置２００は、このようなデバイスの外部にある別のデバイスによって具体化され得る。たとえば、装置は、パーソナルコンピュータ、コンピュータワークステーション、サーバなどのようなコンピューティングデバイスによって、または（たとえば、スマートフォン、タブレットコンピュータなどのような）モバイル端末のような様々なモバイルコンピューティングデバイスのいずれかによって具体化され得る。いくつかの例示的な実装では、１つ以上のＲＡＮ、ＡＭＦ、および／または他のネットワーク要素および／または機能に関連して装置２００を実装することが特に有利であり得る。
【００４２】
装置２００が具体化される方式に関わらず、例示的な実施形態の装置は、プロセッサ２０２およびメモリデバイス２０４、ならびにオプションで、ユーザインターフェース２０６および／または通信インターフェース２０８を備えているか、さもなければ通信するように構成される。いくつかの実施形態では、プロセッサ（および／またはコプロセッサ、またはプロセッサを補助しているか、または、さもなければプロセッサに関連付けられている他の任意の処理回路）は、装置の構成要素間で情報を渡すためのバスを介してメモリデバイスと通信し得る。メモリデバイスは、非一時的であり得、たとえば、１つ以上の揮発性および／または不揮発性メモリを含み得る。言い換えれば、たとえば、メモリデバイスは、マシン（たとえば、プロセッサのようなコンピューティングデバイス）によって取得可能であり得るデータ（たとえば、ビット）を記憶するように構成されたゲートを備える電子記憶デバイス（たとえば、コンピュータ可読記憶媒体）であり得る。メモリデバイスは、本発明の例示的な実施形態に従って装置が様々な機能を行うことを可能にするための、情報、データ、コンテンツ、アプリケーション、命令などを記憶するように構成され得る。たとえば、メモリデバイスは、プロセッサによる処理のために入力データをバッファするように構成され得る。加えて、または、代わりに、メモリデバイスは、プロセッサによる実行のための命令を記憶するように構成され得る。
【００４３】
上記で説明されたように、装置２００は、コンピューティングデバイスによって具体化され得る。しかしながら、いくつかの実施形態では、装置は、チップまたはチップセットとして具体化され得る。言い換えれば、装置は、構造的アセンブリ（たとえば、ベースボード）上に材料、部品、および／またはワイヤを含む１つ以上の物理的パッケージ（たとえばチップ）を備え得る。構造アセンブリは、この上に含まれる部品回路に対して物理的強度、サイズの保存、および／または電気的相互作用の制限を提供し得る。したがって、装置は、いくつかの場合、本発明の実施形態を、単一のチップ上で、または単一の「システムオンチップ」として実装するように構成され得る。このため、いくつかの場合、チップまたはチップセットは、本明細書に説明された機能を提供するための１つ以上の動作を実施するための手段を構成し得る。
【００４４】
プロセッサ２０２は、いくつかの異なる手法で具体化され得る。たとえば、プロセッサは、コプロセッサ、マイクロプロセッサ、コントローラ、デジタル信号プロセッサ（ＤＳＰ）、付随するＤＳＰを伴うまたは伴わない処理要素、または、たとえば、ＡＳＩＣ（特定用途向け集積回路）、ＦＰＧＡ（フィールドプログラマブルゲートアレイ）、マイクロコントローラユニット（ＭＣＵ）、ハードウェアアクセラレータ、特殊用途のコンピュータチップのような集積回路を含む他の様々な処理回路のような、様々なハードウェア処理手段のうちの１つ以上として具体化され得る。このため、いくつかの実施形態では、プロセッサは、独立して実施するように構成された１つ以上の処理コアを含み得る。マルチコアプロセッサは、単一の物理パッケージ内でマルチ処理を可能にし得る。加えて、または、代わりに、プロセッサは、命令の独立した実行、パイプライン化および／またはマルチスレッド化を可能にするためにバスを介して直列に構成された１つ以上のプロセッサを含み得る。
【００４５】
例示的な実施形態では、プロセッサ２０２は、メモリデバイス２０４に記憶されているか、または、さもなければプロセッサにとってアクセス可能な命令を実行するように構成され得る。代わりに、または、加えて、プロセッサは、ハードコードされた機能を実行するように構成され得る。このため、ハードウェアまたはソフトウェアの方法、またはこれらの組合せのいずれかによって構成されたとしても、プロセッサは、それに従って構成されている間、本発明の実施形態に従って動作を実施することができる（たとえば、回路で物理的に具体化された）エンティティを表し得る。したがって、たとえば、プロセッサが、ＡＳＩＣ、ＦＰＧＡなどとして具体化されるとき、プロセッサは、本明細書に説明された動作を遂行するために特に構成されたハードウェアであり得る。あるいは、別の例として、プロセッサがソフトウェア命令のエグゼキュータ（ｅｘｅｃｕｔｏｒ）として具体化されるとき、命令は、命令が実行されるときに、本明細書に説明されたアルゴリズムおよび／または動作を実施するようにプロセッサを具体的に構成し得る。しかしながら、いくつかの場合、プロセッサは、本明細書に説明されたアルゴリズムおよび／または動作を実施するための命令によるプロセッサのさらなる構成によって本発明の実施形態を利用するように構成された特定のデバイス（たとえば、パススルーディスプレイまたはモバイル端末）のプロセッサであり得る。プロセッサは、とりわけ、クロック、算術論理演算装置（ＡＬＵ）、およびプロセッサの動作をサポートするように構成された論理ゲートを含み得る。
【００４６】
いくつかの実施形態では、装置２００は、オプションで、ユーザに出力を提供し、いくつかの実施形態では、ユーザ入力のインディケーションを受信するために、プロセッサ２０２と次々に通信することができるユーザインターフェース２０６を備え得る。このため、ユーザインターフェースは、ディスプレイを備えることができ、いくつかの実施形態では、キーボード、マウス、ジョイスティック、タッチスクリーン、タッチエリア、ソフトキー、マイクロフォン、スピーカ、または他の入力／出力機構も備え得る。代わりに、または、加えて、プロセッサは、ディスプレイ、および、いくつかの実施形態では、スピーカ、リンガ、マイクロフォンなどのような、１つ以上のユーザインターフェース要素の少なくともいくつかの機能を制御するように構成されたユーザインターフェース回路を備え得る。プロセッサ、および／または、プロセッサを備えるユーザインターフェース回路は、プロセッサにとってアクセス可能なメモリ（たとえば、メモリデバイス２０４など）に記憶されたコンピュータプログラム命令（たとえば、ソフトウェアおよび／またはファームウェア）を通じて、１つ以上のユーザインターフェース要素の１つ以上の機能を制御するように構成され得る。
【００４７】
装置２００は、オプションで、通信インターフェース２０８も含み得る。通信インターフェースは、ネットワークとの間でデータを送受信するように構成されたハードウェアまたはハードウェアとソフトウェアとの組合せ、および／または、装置と通信する他の任意のデバイスまたはモジュールのいずれかで具体化される、デバイスまたは回路のような任意の手段であり得る。これに関して、通信インターフェースは、たとえば、無線通信ネットワークとの通信を可能にするための、アンテナ（または多数のアンテナ）およびサポートハードウェアおよび／またはソフトウェアを含み得る。加えて、または、代わりに、通信インターフェースは、アンテナを介した信号の送信を引き起こすため、またはアンテナを介して受信される信号の受信を取り扱うために、アンテナと相互作用するための回路を含み得る。いくつかの環境では、通信インターフェースは代替的に、または、さらに有線通信をサポートすることができる。このため、たとえば、通信インターフェースは、ケーブル、デジタル加入者線（ＤＳＬ）、ユニバーサルシリアルバス（ＵＳＢ）、または他の機構を介した通信をサポートするための通信モデムおよび／または他のハードウェア／ソフトウェアを含み得る。
【００４８】
本明細書で述べたように、本明細書に説明、企図、および／または、さもなければ開示された本発明の例示的な実施形態の多くの実装は、ＵＥ固有の関連付けによって引き起こされるスティッキー性を除去および／または低減する方式で、任意のＡＭＦが、後続するＮ１／Ｎ２トランザクションを処理できるようにすることに向けられる。このため、このような例示的な実施形態の態様が特定の状況においてどのように有利であり得るかを明確にするために、いくつかの例示的な実装が以下に提示される。
【００４９】
ＣＭ−ＣＯＮＮＥＣＴＥＤモードにおけるＵＥを伴う例示的な実装：
いくつかの例示的な実装は、１つ以上の関係するＵＥが、ネットワーク環境および／またはこの中で使用される命名法の詳細に応じて、ＣＭ−ＣＯＮＮＥＣＴＥＤモードおよび／または同様のモードにある、というコンテキストで生じる。いくつかのこのような例示的な実装では、関係するＡＭＦが（たとえば、特定のＮ１／Ｎ２トランザクションの後など）「非スティッキー」になることを望んでいるか、および／または、さもなければ、「非スティッキー」になることが指定される任意の時点において、ＡＭＦは、「ハイブリッドリリース」を示す通知および／または他のインディケーションを（Ｒ）ＡＮへ送信し得る。この「ハイブリッドリリース」通知は、Ｎ３が所与のＵＥに対してアクティブであり続ける一方で、Ｎ２はリリースされることを（Ｒ）ＡＮに示すためにサーブし得る。このハイブリッドリリース通知に基づいて、（Ｒ）ＡＮは、以前のＡＭＦインスタンスがもはや所与のＵＥをサーブしていないことを知っているか、および／または、さもなければ、通知されると考えられ得る。したがって、（Ｒ）ＡＮは、いくつかの状況では、（Ｒ）ＡＮ内の関係するＵＥコンテキストからＮ２ＡＰ  ＩＤを削除し得る。さらに、（Ｒ）ＡＮはまた、たとえば、一時的ＩＤ内で受信されたＡＭＦインスタンスＩＤが、後続するトランザクションのために使用されるべきではないことを覚えている、および／または、さもなければ認識し得る。
【００５０】
このような状況で生じる例示的な実装では、後続するＮ１／Ｎ２トランザクションのために、（Ｒ）ＡＮは、正しいＡＭＦプールを選択するためにＡＭＦグループＩＤだけを使用し得る。（たとえば、少なくとも部分的にＡＭＦグループＩＤに基づいて）正しいＡＭＦプールを選択すると、その後、（Ｒ）ＡＮは、関係するＮ１／Ｎ２メッセージを転送するために任意のＡＭＦインスタンスを選択し得る。いくつかのこのような例示的な実装では、選択されたＡＭＦは、関係するＵＥコンテキストを取得し、トランザクションを処理するために一時的ＩＤ内のＤＳ  ＩＤを使用し得る。
【００５１】
いくつかのこのような例示的な実装では、ＵＥが接続モードにあるとき、（Ｒ）ＡＮは、少なくともＵＥをサーブするＡＭＦインスタンスが、ＵＥのためにハイブリッドリリースを送信していない限り、ＡＭＦグループＩＤおよび／または関係するＮ２ＡＰ−ＩＤを使用して、ＵＥをサーブする正しいＡＭＦをアドレス指定することができる。このため、ＵＥがＣＭ−ＣＯＮＮＥＣＴＥＤモードおよび／または同様のモードにある例示的な実装では、ＡＭＦは、（Ｒ）ＡＮにハイブリッドリリース通知を送信することによって、「非スティッキー」になるという意図をシグナリングし得、これにより、特定のＵＥのために、Ｎ３がアクティブであり続ける一方で、Ｎ２はリリースされることを示す。
【００５２】
ＣＭ−ＩＤＬＥモードからＣＭ−ＣＯＮＮＥＣＴＥＤモードへ移行するＵＥを伴う例示的な実装：
いくつかの例示的な実装は、１つ以上の関係するＵＥが、ネットワーク環境および／またはこの中で使用される用語の詳細に応じて、ＣＭ−ＩＤＬＥモードからＣＭ−ＣＯＮＮＥＣＴＥＤモードおよび／または同様のモードに移行するコンテキストにおいて生じる。このような多くの例示的な実装は、３つのシナリオ：ＡＭＦがＵＥ毎の関連付けを有する状況、ＡＭＦがＵＥ毎の関連付けを有さない状況、およびＡＭＦがハイブリッドモードにある状況、のうちの１つで生じる。これらのシナリオの各々に向けられた例示的な実装は、本明細書で論じられ、それぞれ図３、図４、および図５に反映されている。図３、図４、および図５の各々は、装置２００および／または同様の装置によって実施され得る動作の態様を示す処理フローを示すことが、認識されるであろう。これに関して、装置は、関係する処理フローに反映、および／または、さもなければ説明されているステップの少なくとも各々を実施するための、プロセッサ２０２、メモリ２０４、ユーザインターフェース２０６、通信インターフェース２０８のような手段を含むことが、認識されるであろう。
【００５３】
例示的なシナリオ１：ＵＥ毎の関連付けを有するＡＭＦ：
本明細書で述べたように、本明細書に説明、企図、および／または、さもなければ開示された本発明の実施形態のいくつかの例示的な実装は、ＣＭ−ＩＤＬＥモードからＣＭ−ＣＯＮＮＥＣＴＥＤモードに移行するＵＥと、ＵＥ毎の関連付けを有するように構成され得るＡＭＦとを伴う。図３は、このようないくつかの例示的な実装の態様を示す例示的な処理フロー３００を示す。図３のブロック３０２に示されるように、処理フロー３００は、ＵＥ毎の関連付けを有するＡＭＦを伴う状況において生じる。いくつかのこのような状況では、ＡＭＦは、ＣＭ−ＩＤＬＥからＣＭ−ＣＯＮＮＥＣＴＥＤへの移行のほとんどまたはすべてが関係するＵＥに関して実施された後、関係するＵＥについてのサービングＡＭＦであり続ける可能性が高いであろうと仮定し得る。図３のブロック３０４に示されるように、処理フロー３００のいくつかの例示的な実装は、このような状況では、ＡＭＦが、ＵＥに一時的ＩＤを割り当て得ることを企図する。いくつかのこのような例示的な実装では、一時的ＩＤは、ＡＭＦグループＩＤおよびＡＭＦインスタンスＩＤを含む。一般に、処理フロー３００、および特にブロック３０４のいくつかの例示的な実装は、追加の情報を含む一時的ＩＤを伴い得るが、ＡＭＦがＵＥ毎の関連付けを有するシナリオでは、ＡＭＦグループＩＤおよびＡＭＦインスタンスＩＤのみを含むことで、本明細書で企図されるスティッキー性除去を可能にするのに十分であり得ることが、認識されるであろう。たとえば、一時的ＩＤは、一時的ＩＤにＤＳ  ＩＤを含んでいても、含んでいなくてもよい。さらに、ＤＳ  ＩＤが一時的ＩＤに含まれる例示的な実装では、ＤＳ  ＩＤは、例示的な実装が生じる特定の環境に依存して、ＡＭＦインスタンスＩＤと同等であり得る。
【００５４】
ブロック３０６に図示されるように、処理フロー３００は、ＵＥがＣＭ−ＩＤＬＥ状態からＣＭ−ＣＯＮＮＥＣＴＥＤ状態に移行するときに生じ得るもののような、後続するＮ１／Ｎ２トランザクションについて、（Ｒ）ＡＮおよび／または他の関係するアクセスネットワークが、ＵＥをサーブするＡＭＦを決定するために、ＡＭＦグループＩＤおよびＡＭＦインスタンスＩＤを使用し得ることに留意する。
【００５５】
図３のブロック３０８に示されるように、処理フロー３００のいくつかの例示的な実装は、オプションで、後に、ＡＭＦが一時的ＩＤを再割当し、同じグループの別のＡＭＦの使用を可能にし得ることを企図する。たとえば、接続モードにあるＵＥに関して、ＡＭＦは、サービングＡＭＦであることを望まないと決定し得る。このような状況では、現在のＡＭＦは、ＤＳ  ＩＤを含むように一時的ＩＤを修正し得、したがって、別のＡＭＦが、関係するＵＥについてのＵＥコンテキストを取得することを可能にし得る。
【００５６】
例示的シナリオ２：ＵＥ毎の関連付けのないＡＭＦ：
本明細書で述べたように、本明細書に説明、企図、および／または、さもなければ開示された本発明の実施形態のいくつかの例示的な実装は、ＣＭ−ＩＤＬＥモードからＣＭ−ＣＯＮＮＥＣＴＥＤモードに移行するＵＥと、ＵＥ毎の関連付けなしで構成され得るＡＭＦとを含む。図４は、いくつかのこのような例示的な実装の態様を示す例示的な処理フロー４００を示す。図４のブロック４０２に示されるように、処理フロー４００は、ＵＥ毎の関連付けのないＡＭＦを伴う状況において生じる。いくつかのこのような状況では、ＡＭＦは、ＣＭ−ＩＤＬＥからＣＭ−ＣＯＮＮＥＣＴＥＤへの移行のほとんどまたはすべてが、関係するＵＥに関して実施された後、関係するＵＥについてのサービングＡＭＦであり続けないと仮定し得る。いくつかのこのような状況では、そして図４のブロック４０４に示されるように、ＡＭＦは、ＡＭＦグループＩＤを含む一時的ＩＤと、新たなＡＭＦが、関係するＵＥコンテキスト情報の場所を特定することを可能にする情報とをＵＥに割り当て得る。いくつかのこのような例示的な実装では、ＤＳ  ＩＤも一時的ＩＤに含まれ得る。いくつかのこのような例示的な実装では、ＡＭＦインスタンスＩＤは、ＡＭＦ選択に有効ではないと示され得る、および／または、提供されないことが、認識されるであろう。このため、ブロック４０６に示すように、ＲＡＮおよび／または他のアクセスネットワークは、現在のＡＭＦが、関係する移行するＵＥのためのサービングＡＭＦでなくなる場合、使用のためのＡＭＦの正しいプールの選択に関して、ＡＭＦグループＩＤを使用し得る。
【００５７】
ブロック４０８に示されるように、プロセス４００の例示的な実装は、後続するＮ１／Ｎ２トランザクションについて、ＲＡＮおよび／または他の関係するアクセスネットワークが、プールから任意のＡＭＦを選択し得ることを企図する。後続するＮ１／Ｎ２トランザクションを伴い得るもの（ＵＥがＣＭ−ＩＤＬＥからＣＭ−ＣＯＮＮＥＣＴＥＤ状態に移行するときに、伴い得るものなど）のように、ブロック４０８のいくつかの例示的な実装では、（Ｒ）ＡＮは、ＡＭＦインスタンスＩＤが一時的ＩＤに含まれていないこと、および／または、一時的ＩＤに、それがＡＭＦ選択のために有効ではないことのインディケーションが含まれていることを検出し得る。このような状況では、その後、（Ｒ）ＡＮは、ＡＭＦグループＩＤによって識別されたＡＭＦのプールから、任意のＡＭＦを選択し得る。新たに選択されたＡＭＦは、その後、ＵＥコンテキストを取得し、トランザクションを処理するために、一時的ＩＤ内の情報を使用し得る。
【００５８】
処理フロー４００のいくつかの例示的な実装、および／または、ＡＭＦがＵＥ毎の関連付けがない状況で生じる他の実装は、後に、接続モードにあるＵＥのために、ＡＭＦは、このＵＥのためのサービングＡＭＦになることを望む、および／または、続けたいことを決定し得ることを企図する。このような状況では、ＡＭＦは、（Ｒ）ＡＮがさらなるＵＥ要求を、サービングＡＭＦとして続けたいことを望むこのＡＭＦへ転送することを許可するＡＭＦインスタンスＩＤを含めるように、一時的ＩＤを再割当し得る。
【００５９】
例示的シナリオ３：ハイブリッドモードにおけるＡＭＦ：
本明細書で述べたように、本明細書に説明、企図、および／または、さもなければ開示された本発明の実施形態のいくつかの例示的な実装は、ＣＭ−ＩＤＬＥモードからＣＭ−ＣＯＮＮＥＣＴＥＤモードに移行するＵＥと、ハイブリッドモードにあるように構成され得るＡＭＦとを伴う。図５は、いくつかのこのような例示的な実装の態様を示す例示的な処理フロー５００を示す。図５のブロック５０２に示すように、処理フロー５００は、ハイブリッドモードにおけるＡＭＦを伴う状況で生じる。ハイブリッドモードにあるとき、ＡＭＦは、（たとえば、負荷条件、負荷再分配などの運用上の理由、および／または、他の要因に依存するような）ローカルポリシーに基づいて、ＡＭＦが、ＩＤＬＥモードおよび／または同様のモードに移行したＵＥのためのサービングＡＭＦであり続けることを望むか否かを決定し得る。いくつかの例示的な実装では、ＡＭＦによるこのような決定は、「トランザクション毎ベースで」実施され得る。また、ブロック５０４に示されるように、処理フロー５００のいくつかの例示的な実装は、関係するＵＥへの一時的ＩＤのＡＭＦによる割当を伴う。いくつかのこのような例示的な実装では、一時的ＩＤは、ＡＭＦグループＩＤ、ＡＭＦインスタンスＩＤ、およびＡＭＦが、ＤＳ  ＩＤを含み得る関係するＵＥコンテキストの場所を特定することを許可する情報を含み得る。
【００６０】
サービングノードとして続けるか否かのＡＭＦの決定に影響を与える考慮事項および／または他の要因に関係なく、処理フロー５００のいくつかの例示的な実装は、ブロック５０６に示された動作を含む。ブロック５０６に図示されるように、ＡＭＦがどのＵＥについてもサービングネットワーク機能（ＮＦ）として続けることを望まないと決定する状況では、ＡＭＦは、ＡＭＦがＩＤＬＥモードにおいて「非スティッキー」になることを示す「ＡＭＦ毎」のシグナリングを、Ｎ２を介して、ＲＡＮおよび／または他の関係するアクセスネットワークに向けて送信し得る。このインディケーションは、たとえば、少なくともそれがどの特定のＵＥとも関連付けられていないという意味で、「グローバル」であるとみなされ得る。ブロック５０８に示すように、（Ｒ）ＡＮおよび／または他のアクセスネットワークは、その後、ＡＭＦインスタンスと、ＡＭＦインスタンスの「非スティッキー」なＩＤＬＥモード動作との間の関連付けを格納し得る。
【００６１】
ブロック５１０に示されるように、処理フロー５００のいくつかの例示的な実装は、ＵＥがＩＤＬＥモードからＣＯＮＮＥＣＴＥＤモードに移行するときに、（Ｒ）ＡＮが、一時的ＩＤを評価して、一時的ＩＤが、自分自身を「非スティッキー」としてシグナリングしたＡＭＦと同じであるＡＭＦインスタンスＩＤを含むか否かを決定し得ることを企図する。ＡＭＦインスタンスＩＤが、「非スティッキー」でありたいという意思をシグナリングしたＡＭＦのＩＤと同じであると決定されると、（Ｒ）ＡＮは、一時的ＩＤ内のＡＭＦインスタンスＩＤを無視し得る。ＡＭＦインスタンスＩＤが無視される例示的な実装では、（Ｒ）ＡＮは、正しいＡＭＦプールを識別し、正しいＡＭＦプールからＡＭＦを選択するために、ＵＥによって提供された一時的ＩＤ内のＡＭＦグループＩＤを使用し得る。その後、選択されたＡＭＦは、関係するＵＥコンテキストを取得し、トランザクションを処理するために、一時的ＩＤ内の情報を使用し得る。
【００６２】
本明細書に開示されるいくつかの例示的な実装が、ＡＭＦが、スティッキーであり続けるか否かを決定することを可能にすることが、認識されるであろう。いくつかのこのような例示的な実装では、決定などは、ＡＭＦに関連付けられた特定のオプションとして実施され得る。結果として、このような例示的な実装は、ステートレスおよびステートフルの両方のＡＭＦインスタンスが、所与のオペレータのネットワーク内に配備されることを可能にする。
【００６３】
いくつかの例示的な実装では、ＡＭＦは、後に、ＡＭＦインスタンスの動作モードを示すＩＤＬＥインディケーションにおいて、ＡＭＦが「非スティッキー」を除去することを示す「ＡＭＦ毎」のシグナリングを、Ｎ２を介して、ＲＡＮおよび／または他の関係するアクセスネットワークに向けて送信し得る。このインディケーションは、少なくとも、特定のＵＥに関連付けられていないという意味において、「グローバル」であるとみなされ得る。
【００６４】
（Ｒ）ＡＮにおけるＡＭＦ選択に関する追加の考慮事項：
本明細書で論じられるように、特に上記の例示的なシナリオ２および３ならびにそれらの対応する図４および５を参照して、本明細書に説明、企図、および／または、さもなければ開示された本発明の例示的な実施形態のいくつかの実装は、（Ｒ）ＡＮ内において特定のＡＭＦを選択する態様を伴う。いくつかのこのような例示的な実装では、後続するＭＯ／ＭＴトランザクションに対して、（Ｒ）ＡＮは、ＡＭＦ選択のための２つのオプション：（１）ＡＭＦリダイレクションのためのサポートと、（２）共通のリポジトリおよび／または選択機能を使用する（Ｒ）ＡＮおよびコア制御プレーン（ＣＰ）ＮＦとを有するとみなされ得る。ＡＭＦリダイレクションのサポートを伴う状況では、（Ｒ）ＡＮは、ＡＭＦグループＩＤを使用してＡＭＦプールを選択し得る。その後、（Ｒ）ＡＮは、任意のＡＭＦを選択し得る（これは、たとえばロードバランサの使用を伴い得る）。いくつかのこのような例示的な実装では、（Ｒ）ＡＮおよび／または他のアクセスネットワークがＡＭＦを選択したとき、競合状態および／または他の要因のために、別のＡＭＦが、既にＵＥをサーブしている可能性がある。このような場合、選択されたＡＭＦ（これは、たとえば、誤ったＡＭＦであるとみなされ得る）は、この要求を正しいＡＭＦにリダイレクトし得る。共通のリポジトリおよび／または選択機能を使用する（Ｒ）ＡＮおよび／またはコアＣＰ  ＮＦを伴う状況では、（Ｒ）ＡＮは、コアＣＰ  ＮＦと共通のリポジトリおよび／または選択機能（これは、たとえば、セッション管理機能または他の機能を含むことができ、これを用いて、たとえば負荷を考慮することができる）を使用し得、正しいＡＭＦを選択し、この選択を検証する（たとえば、競合状態が、ＵＥに対する別のＡＭＦの選択を同時に引き起こさなかったことを確認する）。（Ｒ）ＡＮ内のＡＭＦ選択を伴う特定の例示的な実装に関連し得る追加の詳細が以下に示される。
【００６５】
ＡＭＦリダイレクションのサポートの態様：
（Ｒ）ＡＮにおけるＡＭＦ選択に関係するＡＭＦリダイレクションのためのサポートを伴う本明細書に開示される本発明の多くの例示的な実装は、ＡＭＦが「誤った」ＡＭＦであるとの決定を行うことを企図する。いくつかのこのような例示的な実装では、選択されたＡＭＦが、別のＡＭＦが現在、ＵＥをサーブしていることを知り、したがって、それが「正しいＡＭＦ」または「誤ったＡＭＦ」と決定するために、選択されたＡＭＦは、以下のステップを実施し得る：
【００６６】
第１に、選択されたＡＭＦは、Ｎ１／Ｎ２トランザクションを処理するために、関係するＵＥコンテキストを取得するために、（たとえば、一時的ＩＤ内に提供された場所に基づいて決定され得る）リポジトリに問合せをし得る。あるいは、選択されたＡＭＦは、Ｎ１／Ｎ２トランザクションのために使用される一時的ＩＤ内のＤＳ  ＩＤによって指定される場所から、関係するＵＥコンテキストを取得することを試み得る。
【００６７】
第２に、ＵＥコンテキストを保持するリポジトリ（たとえば、これはＤＳＦであり得る）は、別のＡＭＦが、既にＵＥコンテキスト情報のマスタである（したがって、所与のＵＥのためのサービングＡＭＦであるとみなされ得る）と決定する。リポジトリは、次いで、コンテキスト取得の要求を拒否し、正しいＡＭＦインスタンスのインディケーションを用いて応答し得る。このような場合に生じる例示的な実装では、（Ｒ）ＡＮおよび／または他のアクセスネットワークによって選択されたＡＭＦは、この要求を、正しいサービングＡＭＦに転送し得る。そうでない場合、リポジトリは、ＵＥコンテキスト情報を返し得る。
【００６８】
（Ｒ）ＡＮにおけるＡＭＦリダイレクションを伴う例示的な実装において生じる課題のうちの１つは、（Ｒ）ＡＮに向かう応答が、リダイレクション中にどのように取り扱われるべきかを決定することについてである。一般に、本明細書に説明、および／または、さもなければ開示された本発明の実施形態の例示的な実装は、３つの代替案のうちの１つの使用を企図している。本明細書で論じる３つの代替案の各々において、（Ｒ）ＡＮおよび／または他のアクセスネットワークは、サービングＡＭＦから受信した応答を、初期要求と相関させ、ＵＥをサービングＡＭＦと関連付けることを要求され得る。
【００６９】
可能性のある代替案のうちの１つは、三角通信であるとみなされ得る通信を伴う。このような状況では、「誤った」ＡＭＦが、Ｎ１／Ｎ２トランザクションを、正しいサービングＡＭＦに転送し得、正しいサービングＡＭＦが、（Ｒ）ＡＮに応答し得る。いくつかの状況では、これにより、要求と応答との両方に、異なるＮ２ＡＰ接続が使用されることになる。このような通信をサポートするために、誤ったＡＭＦからサービングＡＭＦに転送された要求は、（Ｒ）ＡＮおよび／または他のアクセスネットワークから受信されたＮ２ＡＰ参照を収容し得る。結果として、サービングＡＭＦはその後、（Ｒ）ＡＮおよび／または他のアクセスネットワークへの応答においてＮ２ＡＰ参照を提供し得る。この結果、（Ｒ）ＡＮおよび／または他のアクセスネットワークは、２つのＮ２ＡＰ「接続」を相関させ、サービングＡＭＦとのＮ２ＡＰ「接続」が、誤ったＡＭＦとリプレースすることができる、および／または、誤ったＡＭＦとリプレースするとしてみなされるべきであると理解し得る。いくつかの例示的な実装では、これは、サービングＡＭＦから受信した要求が真性であることを検証するために（Ｒ）ＡＮによっても使用され得る。
【００７０】
他の可能性のある代替案は、（Ｒ）ＡＮを介するリダイレクションを伴う。このような代替的なアプローチのいくつかの例示的な実装では、「誤った」ＡＭＦは、正しいＡＭＦの識別を用いて、（Ｒ）ＡＮに応答し得る。このため、（Ｒ）ＡＮおよび／または他のアクセスネットワークは、Ｎ１／Ｎ２トランザクションを正しいＡＭＦに転送し得る。このような代替案のいくつかの例示的な実装では、これによって同じトランザクションに対する２つの要求および応答が送信されることになることが、認識されるであろう。
【００７１】
潜在的な代替案の第３は、ＡＭＦにおける代理を含むとみなされ得る。このような代替のいくつかの例示的な実装では、「誤った」ＡＭＦは、Ｎ１／Ｎ２トランザクションを、正しいサービングＡＭＦに転送し得る。その後、サービングＡＭＦは、誤ったＡＭＦを介して（Ｒ）ＡＮへの応答を代理し得る。いくつかの例示的な実装では、これにより、要求および応答のために同じＮ２ＡＰ接続が使用されることになることが、認識されるであろう。しかしながら、１つ以上の後続するＮ１／Ｎ２トランザクションでは、（同じトランザクション内でさらなるシグナリングを転送するため、および／または、新たなＡＭＦがＡＭＦインスタンスＩＤを割り当て、たとえばスティッキーになることを望む場合、）少なくとも１つの新たなＮ２ＡＰ接続が、（Ｒ）ＡＮとサービングＡＭＦとの間でセットアップされる必要がある。いくつかのこのような例示的な実装では、（Ｒ）ＡＮへ送信された応答は、所与のＵＥのために、（Ｒ）ＡＮとサービングＡＭＦとの間の後続する通信を可能にするために、サービングＡＭＦとの新たなＮ２ＡＰ接続を直ちにセットアップする必要があり得ることを、（Ｒ）ＡＮおよび／または他のアクセスネットワークへ通知するインディケーションを、含む必要があり得る。
【００７２】
ＡＭＦ選択のために共通のリポジトリ／選択機能を使用する（Ｒ）ＡＮのためのサポートの態様：
上記のように、本明細書に説明、および／または、さもなければ開示されている本発明のいくつかの例示的な実装は、ＡＭＦ選択に関連して共通のリポジトリおよび／または選択機能を使用して、（Ｒ）ＡＮおよび／または他のアクセスネットワークを企図する。このようなオプションのアプローチを採用するいくつかの例示的な実装では、ＭＯおよびＭＴトランザクションのためにＡＭＦ選択の同期を確実にすることにおいて課題が生じる。いくつかのこのような状況では、所与のＵＥのためのＡＭＦを選択するために、ＡＭＦを選択しなければならない（Ｒ）ＡＮと１つ以上のコアＣＰ  ＮＦ（たとえば、これはＳＭＦを含み得る）は、共通のリポジトリおよび／または選択機能（これは、たとえば、ＮＲＦ、ＮＮＳＦおよび／またはＤＳＦのうちの１つ以上を含み得る）を使用し得る。関係する（Ｒ）ＡＮおよび／またはコアＣＰ  ＮＦ（これは、たとえば、ＳＭＦを含み得る）のいずれかによって、所与のＵＥのためのＡＭＦが選択されると、選択されたＡＭＦインスタンスＩＤは、レポジトリに格納され得る。（Ｒ）ＡＮおよびコアＣＰ  ＮＦが、同じリポジトリ機能を使用するために、同じリポジトリ機能情報が、（Ｒ）ＡＮおよびコアＣＰ  ＮＦにおいて構成される必要があり得ることが、認識されるであろう。
【００７３】
このような状況で生じ得る別の課題は、共通のリポジトリおよび／または選択機能にアクセスするための競合状態を回避することである。少なくともいくつかの例示的な実装では、このような競合状態を回避することは以下のように達成され得る：
【００７４】
最初に、リクエスタが、ＮＦの場所を特定し、この内部論理および／または他の規則に少なくとも部分的に基づいて特定のＮＦを選択する。その後、リクエスタが、新たなＮＦ（たとえば、ＡＭＦであり得る）を選択し得る。こうした後、リクエスタが、その後、共通のリポジトリおよび／または選択機能（たとえば、ＮＲＦ、ＮＮＳＦ、および／または、ＤＳＦのうちの１つ以上であり得る）とインタラクトし、所与のＵＥのためのサービングＮＦとして、新たに選択されたＮＦ（たとえば、前述したようなＡＭＦであり得る）を書き込み得る。共通のレポジトリおよび／または選択機能が、所与のＵＥのためのサービングＮＦを既に有している状況では、共通のレポジトリおよび／または選択機能は、書き込み要求を拒否し、サービングＮＦ（これは、いくつかの状況では、たとえば、サービングＡＭＦであり得る）を返し得る。そうではない場合、共通のリポジトリおよび／または選択機能は、レコードを更新し、新たに選択されたＡＭＦを、所与のＵＥのためのサービングＡＭＦにし得る。このような状況では、リクエスタは、それに応じて通知を受けることができる。
【００７５】
他のＡＭＦインターフェースに関連付けられる考慮事項：
本明細書に説明、および／または、さもなければ開示されている本発明の実施形態の多くの例示的な実装は、多数のネットワーク機能および／またはネットワーク要素を伴い得るネットワーク環境で生じる。（たとえば、１つ以上のＳＭＦ、ＰＣＦ、ＵＤＭ、ＡＵＳＦのような）他のＮＦが、特定のＡＭＦがもはや所与のＵＥ（または、たとえば任意のＵＥ）をサーブしていないことを通知されることを確実にするために、ＡＭＦは、（たとえば、ＵＥシグナリングに従って達成され得る）「ハイブリッドリリース」インディケーションまたは（たとえば、非ＵＥ固有であり得、そして、たとえばＡＭＦシグナリングに従って達成する）「ハイブリッドリリース」インディケーションを他のＮＦを向けて送信し得る。いくつかの例示的な実装では、ハイブリッドリリースインディケーションの受信に少なくとも部分的に基づいて、他のＮＦが、ＵＥ固有のコンテキストから、ＡＭＦおよび／または関係のある関連付けを除去し得る。したがって、このような各ＮＦは、所与のＵＥに関連付けられたサービングＡＭＦが存在しない、後続するＵＥ固有のトランザクションのために、プール内のＡＭＦを選択する必要があり得ることを知っている、および／または、通知されるとしてみなされるべきである。ＡＭＦ選択のコンテキストにおいて、上記のアプローチ、および／または、（Ｒ）ＡＮにおけるＡＭＦ選択に関して提示された考慮のうちの１つが採用され得る。
【００７６】
ネットワークスライシングに関連付けられた考慮事項：
５Ｇネットワークに関係のあるいくつかの提案は、ネットワークスライスおよび／またはネットワークスライスのような構造およびプロトコルの使用および／または他の実装を企図している。本明細書に説明、および／または、さもなければ開示されている本発明のいくつかの例示的な実装では、ＡＭＦスティッキー性除去の要件は、ＵＥに対してアグノスティックであるとみなされ得ることが、認識されるであろう。このため、ＡＭＦがスティッキーであるか否かに関わらず、ＵＥは同じサービスのセットを得ることができねばならない。したがって、（たとえば、ＮＳＳＡＩ値のような）同じサービスレベル基準が、ＡＭＦを選択するために使用され得る。いくつかの例示的な実装では、そうすることは、古いサービングＡＭＦ（すなわち、１つ以上の、以前のＵＥ固有のトランザクションをサーブするＡＭＦ）、および新たなサービングＡＭＦ（すなわち、新たなＵＥ固有のトランザクションをサーブするＡＭＦ）が、同様の機能およびサービスをサポートし得ることを示唆する。
【００７７】
本明細書に説明、および／または、さもなければ開示されている本発明の例示的な実装が生じる正確な環境に関わらず、このような例示的な実装の多くは、以下のガイドラインへの一定レベルの遵守を示し得る：（１）個々のＮＡＳ手順および／またはＮＧ２手順の間、ＵＥは同じＡＭＦインスタンスによってサーブされるものとする。（２）時間分離されたＮＡＳまたはＮＧ２手順の場合には、ＡＭＦの異なるインスタンスの１つのＵＥによる使用が許可され得る。（３）少なくともいくつかの状況では、非アクティブなＵＥへの（たとえば、一時的ＩＤの再割当などの）追加のシグナリングなしに、ＡＭＦから１つ以上の「ＵＥ毎の関連付け」をリリースすることが可能であるべきである。（４）特定のＵＥは、任意の所与の時点でただ１つのサービングＡＭＦを有することができる。
【００７８】
ガイドラインを考慮して、多くの例示的な実装は、以下の特徴を示しているか、および／または、さもなければ以下の原理を示しているソリューションを、提供および／または容易にすることができる：
【００７９】
（１）少なくともいくつかの例示的な実装では、一時的ＩＤは、ＵＥを識別し、登録されたＵＥコンテキストの場所を特定し、ＡＭＦのプールを識別し、および／または、オプションで、特定のＡＭＦインスタンスを識別するのに十分な情報を含むべきである。
【００８０】
（２）関係するＡＭＦが「非スティッキー」になることを望む状況では、このＡＭＦは、所与のＵＥのために、Ｎ２はリリースされているが、Ｎ３はまだアクティブであることを示すために、（Ｒ）ＡＮにハイブリッドリリースを送信し得る。
【００８１】
（３）３ＧＰＰにおけるＮ２スティッキー性除去への規定されたアプローチを伴う状況は、実装固有のオプションとして、ＡＭＦがスティッキーであり続けるか否かを、決定することを可能にするべきである。このため、１つ以上のステートレスおよび／またはステートフルなＡＭＦが、オペレータのネットワークにおいて配備されることを可能にするべきである。
【００８２】
（４）（ａ）多くの例示的な実装では、ＡＭＦは、ＡＭＦが、もはや所与のＵＥをサーブしていないことを示す「ハイブリッドリリース」インディケーションを、他のＣＰ  ＮＦに送信し得る。このような状況では、ＡＭＦがもはやどのＵＥをもサーブしない場合、ＡＭＦは、ＡＭＦがインターフェースする他のＣＰ  ＮＦに「ＡＭＦ毎」のハイブリッドリリースインディケーションを送信し得る。
【００８３】
（４）（ｂ）いくつかの状況では、中央リポジトリが、（Ｒ）ＡＮおよび／または他のコアＣＰ  ＮＦによって選択されたＡＭＦの検証のために必要とされ得る。
【００８４】
（４）（ｃ）いくつかの状況では、競合状態を解決するために、ＡＭＦリダイレクトソリューションのサポートが必要である。
【００８５】
（５）いくつかの状況では、ＡＭＦスティッキー性除去要件は、ＵＥに対してアグノスティックである。これは、古いサービングＡＭＦ（すなわち、１つ以上の以前のＵＥ固有のトランザクションをサーブしているＡＭＦ）および新たなサービングＡＭＦ（すなわち、新たなＵＥ固有のトランザクションをサーブしているＡＭＦ）が、同様の機能およびサービスをサポートすることを示唆する。
【００８６】
所与の例示的な実装が生じる状況に関わらず、スティッキー性およびこの関係のある課題に対処するための例示的な実装および／または他のアプローチは、ステートレスＡＭＦ、および／または、さもなければ任意のＡＭＦが、後続するＮ１／Ｎ２トランザクションを処理し、一般に、ＡＭＦ冗長性を１：１から１：ｎへ向上させ得る、ＡＭＦのレジリエンシの向上に役立たせることを可能にするソリューションを提供することが、認識されるであろう。
【００８７】
上記で説明されたように、図３、図４、および図５は、本発明の例示的な実施形態による装置２００、方法、およびコンピュータプログラム製品のフローチャートを示す。フローチャートの各ブロック、およびフローチャート内におけるブロックの組合せは、ハードウェア、ファームウェア、プロセッサ、回路、および／または、１つ以上のコンピュータプログラム命令を含むソフトウェアの実行に関連付けられた他のデバイスなどの、様々な手段によって実施され得ることが、理解されよう。たとえば、上記で説明された手順のうちの１つ以上は、コンピュータプログラム命令によって具体化され得る。これに関して、上記で説明された手順を具体化するコンピュータプログラム命令は、本発明の実施形態を利用する装置のメモリデバイス２０４によって記憶され得、装置のプロセッサ２０２によって実行され得る。認識されるように、任意のこのようなコンピュータプログラム命令は、結果として得られるコンピュータまたは他のプログラマブル装置が、フローチャートブロックで規定された機能を実装するようにマシンを作成するために、コンピュータまたは他のプログラマブル装置（たとえば、ハードウェアなど）にロードされ得る。これらのコンピュータプログラム命令は、コンピュータ可読メモリにも記憶され得て、特定の方式で機能するようにコンピュータまたは他のプログラム可能な装置に指示し、コンピュータ可読メモリに記憶された命令は、製品を作成し、その実行はフローチャートブロックにおいて規定された機能を実装する。コンピュータプログラム命令はまた、コンピュータまたは他のプログラマブル装置にロードされて、一連の動作を、コンピュータまたは他のプログラマブル装置上で実施させ、コンピュータにより実装されるプロセスを作成し、これによって、コンピュータまたは他のプログラマブル装置上で実行する命令が、フローチャートブロックで規定された機能を実装するための動作を提供するようになる。
【００８８】
したがって、フローチャートのブロックは、規定された機能を実施するための手段の組合せと、規定された機能を実施するための動作の組合せとをサポートする。フローチャートの１つ以上のブロック、およびフローチャート内のブロックの組合せは、規定された機能を実施する専用ハードウェアベースのコンピュータシステム、または専用ハードウェアとコンピュータ命令との組合せによって実装され得ることも理解されよう。
【００８９】
いくつかの実施形態において、上記の動作のうちの特定のものは、修正され得るか、またはさらに拡充され得る。さらに、いくつかの実施形態では、追加のオプションの動作が含まれ得る。上記の動作に対する修正、追加、または拡充は、任意の順序および任意の組合せで実施され得る。
【００９０】
本明細書に記載されている本発明の多くの修正および他の実施形態は、前述の記載および関連する図面に提示されている教示の恩恵を有する、これらの発明に関する当業者に想到されるであろう。したがって、本発明は、開示された特定の実施形態に限定されるものではなく、修正および他の実施形態が、添付の特許請求の範囲内に含まれることが意図されていることが理解されるべきである。さらに、前述の記述および関連付けられた図面は、要素および／または機能の特定の例示的な組合せの文脈において、例示的な実施形態を説明しているが、要素および／または機能の異なる組合せが、添付された特許請求の範囲から逸脱することなく、代替的な実施形態によって提供され得ることが、認識されるべきである。これに関して、たとえば、添付の特許請求の範囲の一部に説明され得るように、明示的に上記で説明されたものとは要素および／または機能の異なる組合せも企図される。本明細書では特定の用語が使用されているが、これらは一般的かつ説明的な意味でのみ使用されており、限定の目的では使用されていない。
【図１】
2020506624.tif 000003
【図２】
2020506624.tif 000004
【図３】
2020506624.tif 000005
【図４】
2020506624.tif 000006
【図５】
2020506624.tif 000007
【手続補正書】
【提出日】令和1年10月1日(2019.10.1)
【手続補正１】
【補正対象書類名】特許請求の範囲
【補正対象項目名】全文
【補正方法】変更
【補正の内容】
【特許請求の範囲】
【請求項１】
方法であって、
第１のアクセスおよびモビリティ管理機能によってユーザ機器デバイスに割り当てられており、複数のアクセスおよびモビリティ管理機能の識別を含む一時的識別子を、アクセスネットワークによって受信することと、
ユーザ機器デバイスのアイドルモードから接続モードへの移行を検出することと、
一時的識別子および移行の検出に少なくとも部分的に基づいて、複数のアクセスおよびモビリティ管理機能の中から、アクセスおよびモビリティ管理機能を、アクセスネットワークによって選択することと、
選択されたアクセスおよびモビリティ管理機能をユーザ機器デバイスへ割り当てることとを含む、方法。
【請求項２】
一時的識別子が、ユーザ機器デバイスの識別を含む、請求項１に記載の方法。
【請求項３】
一時的識別子が、第２のアクセスおよびモビリティ管理機能の識別を含む、請求項１または２に記載の方法。
【請求項４】
第２のアクセスおよびモビリティ管理機能を利用できないことのインディケーションを、アクセスネットワークによって受信することをさらに含む、請求項１から３のいずれか一項に記載の方法。
【請求項５】
第２のアクセスおよびモビリティ管理機能を利用できないことのインディケーションを、アクセスネットワークによって格納することをさらに含む、請求項１から４のいずれか一項に記載の方法。
【請求項６】
複数のアクセスおよびモビリティ管理機能の中から、アクセスおよびモビリティ管理機能を、アクセスネットワークによって選択することが、
第２のアクセスおよびモビリティ管理機能が利用できないことのインディケーションを検出することと、
複数のアクセスおよびモビリティ管理機能の中から、第３のアクセスおよびモビリティ管理機能を選択することとを含む、請求項４または５に記載の方法。
【請求項７】
第２のアクセスおよびモビリティ管理機能を利用できないことのインディケーションが、第２のアクセスおよびモビリティ管理機能とアクセスネットワークとの間の制御プレーンインターフェースのリリースのインディケーション、および、ユーザ機器デバイスに関連付けられたユーザプレーンインターフェースの非リリースのインディケーションを備えた、請求項４から６のいずれか一項に記載の方法。
【請求項８】
少なくとも１つのプロセッサと、コンピュータプログラムコードを記憶する少なくとも１つのメモリとを備えた装置であって、少なくとも１つのメモリおよびコンピュータプログラムコードが、少なくとも１つのプロセッサを用いて、装置に、少なくとも、
第１のアクセスおよびモビリティ管理機能によってユーザ機器デバイスに割り当てられており、複数のアクセスおよびモビリティ管理機能の識別を含む、一時的識別子を受信させ、
ユーザ機器デバイスのアイドルモードから接続モードへの移行を検出させ、
一時的識別子に少なくとも部分的に基づいて、および、移行の検出に応じて、複数のアクセスおよびモビリティ管理機能の中から、アクセスおよびモビリティ管理機能を選択させ、
選択されたアクセスおよびモビリティ管理機能をユーザ機器デバイスへ割り当てさせる
ように構成された、装置。
【請求項９】
一時的識別子が、ユーザ機器デバイスの識別を含む、請求項８に記載の装置。
【請求項１０】
一時的識別子が、第２のアクセスおよびモビリティ管理機能の識別を含む、請求項８または９に記載の装置。
【請求項１１】
少なくとも１つのメモリおよびコンピュータプログラムコードが、少なくとも１つのプロセッサを用いて、装置に、少なくとも、
第２のアクセスおよびモビリティ管理機能を利用できないことのインディケーションを受信させるように、さらに構成された、請求項８から１０のいずれか一項に記載の装置。
【請求項１２】
少なくとも１つのメモリおよびコンピュータプログラムコードが、少なくとも１つのプロセッサを用いて、装置に、少なくとも、
第２のアクセスおよびモビリティ管理機能を利用できないことのインディケーションを記憶させるように、さらに構成された、請求項８から１１のいずれか一項に記載の装置。
【請求項１３】
複数のアクセスおよびモビリティ管理機能の中から、アクセスおよびモビリティ管理機能を選択するために、少なくとも１つのメモリおよびコンピュータプログラムコードが、少なくとも１つのプロセッサを用いて、装置に、少なくとも、
第２のアクセスおよびモビリティ管理機能が利用できないことのインディケーションを検出させ、
複数のアクセスおよびモビリティ管理機能の中から第３のアクセスおよびモビリティ管理機能を選択させるように、さらに構成された、請求項１１または１２に記載の装置。
【請求項１４】
第２のアクセスおよびモビリティ管理機能を利用できないことのインディケーションが、第２のアクセスおよびモビリティ管理機能とアクセスネットワークとの間の制御プレーンインターフェースのリリースのインディケーション、および、ユーザ機器デバイスに関連付けられたユーザプレーンインターフェースの非リリースのインディケーションを備えた、請求項１１から１３のいずれか一項に記載の装置。
【請求項１５】
コンピュータにより実行可能なプログラムコード命令を記憶した少なくとも１つの非一時的なコンピュータ可読記憶媒体を備えたコンピュータプログラム製品であって、コンピュータにより実行可能なプログラムコード命令が、
第１のアクセスおよびモビリティ管理機能によってユーザ機器デバイスに割り当てられており、複数のアクセスおよびモビリティ管理機能の識別を含む一時的識別子を、アクセスネットワークによって受信し、
ユーザ機器デバイスのアイドルモードから接続モードへの移行を検出し、
一時的識別子に少なくとも部分的に基づいて、および、移行の検出に応答して、複数のアクセスおよびモビリティ管理機能の中から、アクセスおよびモビリティ管理機能を、アクセスネットワークによって選択し、
選択されたアクセスおよびモビリティ管理機能をユーザ機器デバイスへ割り当てる
ように構成されたプログラムコード命令を備えた、コンピュータプログラム製品。
【請求項１６】
装置とユーザ機器とを備えたシステムであって、装置が、少なくとも１つのプロセッサと、コンピュータプログラムコードを記憶した少なくとも１つのメモリとを備え、少なくとも１つのメモリおよびコンピュータプログラムコードが、プロセッサを用いて、装置に、少なくとも、
第１のアクセスおよびモビリティ管理機能によってユーザ機器デバイスに割り当てられており、複数のアクセスおよびモビリティ管理機能を示す識別を含む、一時的識別子を受信させ、
ユーザ機器デバイスのアイドルモードから接続モードへの移行を検出させ、
複数のアクセスおよびモビリティ管理機能の中から、第２のアクセスおよびモビリティ管理機能が利用できないことのインディケーションを受信させ、
一時的識別子およびインディケーションに少なくとも部分的に基づいて、および、移行の検出に応じて、複数のアクセスおよびモビリティ管理機能の中から、アクセスおよびモビリティ管理機能を選択させ、
選択されたアクセスおよびモビリティ管理機能をユーザ機器デバイスへ割り当てさせる
ように構成された、システム。
【請求項１７】
少なくとも１つのプロセッサと、コンピュータプログラムコードを記憶する少なくとも１つのメモリとを備えたユーザ機器デバイスであって、少なくとも１つのメモリおよびコンピュータプログラムコードが、プロセッサを用いて、装置に、少なくとも、
第１のアクセスおよびモビリティ管理機能によってユーザ機器デバイスに割り当てられており、複数のアクセスおよびモビリティ管理機能の識別を含む、一時的識別子を受信させ、
アイドルモードから接続モードへの移行を実施させ、
一時的識別子に少なくとも部分的に基づいた、複数のアクセスおよびモビリティ管理機能の中からのアクセスおよびモビリティ管理機能の選択を可能にするために、一時的識別子を送信させ、
選択されたアクセスおよびモビリティ管理機能の割当を受信させる
ように構成された、ユーザ機器デバイス。
【手続補正書】
【提出日】令和1年10月17日(2019.10.17)
【手続補正１】
【補正対象書類名】特許請求の範囲
【補正対象項目名】全文
【補正方法】変更
【補正の内容】
【特許請求の範囲】
【請求項１】
方法であって、
第１のアクセスおよびモビリティ管理機能によってユーザ機器デバイスに割り当てられており、複数のアクセスおよびモビリティ管理機能の識別を含む一時的識別子を、アクセスネットワークによって受信することと、
ユーザ機器デバイスのアイドルモードから接続モードへの移行を検出することと、
一時的識別子および移行の検出に少なくとも部分的に基づいて、複数のアクセスおよびモビリティ管理機能の中から、アクセスおよびモビリティ管理機能を、アクセスネットワークによって選択することと、
選択されたアクセスおよびモビリティ管理機能をユーザ機器デバイスへ割り当てることとを含む、方法。
【請求項２】
一時的識別子が、ユーザ機器デバイスの識別を含む、請求項１に記載の方法。
【請求項３】
一時的識別子が、第２のアクセスおよびモビリティ管理機能の識別を含む、請求項１または２に記載の方法。
【請求項４】
第２のアクセスおよびモビリティ管理機能を利用できないことのインディケーションを、アクセスネットワークによって受信することをさらに含む、請求項１から３のいずれか一項に記載の方法。
【請求項５】
第２のアクセスおよびモビリティ管理機能を利用できないことのインディケーションを、アクセスネットワークによって格納することをさらに含む、請求項１から４のいずれか一項に記載の方法。
【請求項６】
複数のアクセスおよびモビリティ管理機能の中から、アクセスおよびモビリティ管理機能を、アクセスネットワークによって選択することが、
第２のアクセスおよびモビリティ管理機能が利用できないことのインディケーションを検出することと、
複数のアクセスおよびモビリティ管理機能の中から、第３のアクセスおよびモビリティ管理機能を選択することとを含む、請求項４または５に記載の方法。
【請求項７】
第２のアクセスおよびモビリティ管理機能を利用できないことのインディケーションが、第２のアクセスおよびモビリティ管理機能とアクセスネットワークとの間の制御プレーンインターフェースのリリースのインディケーション、および、ユーザ機器デバイスに関連付けられたユーザプレーンインターフェースの非リリースのインディケーションを備えた、請求項４から６のいずれか一項に記載の方法。
【請求項８】
少なくとも１つのプロセッサと、コンピュータプログラムコードを記憶する少なくとも１つのメモリとを備えた装置であって、少なくとも１つのメモリおよびコンピュータプログラムコードが、少なくとも１つのプロセッサを用いて、装置に、少なくとも、
第１のアクセスおよびモビリティ管理機能によってユーザ機器デバイスに割り当てられており、複数のアクセスおよびモビリティ管理機能の識別を含む、一時的識別子を受信させ、
ユーザ機器デバイスのアイドルモードから接続モードへの移行を検出させ、
一時的識別子に少なくとも部分的に基づいて、および、移行の検出に応じて、複数のアクセスおよびモビリティ管理機能の中から、アクセスおよびモビリティ管理機能を選択させ、
選択されたアクセスおよびモビリティ管理機能をユーザ機器デバイスへ割り当てさせる
ように構成された、装置。
【請求項９】
一時的識別子が、ユーザ機器デバイスの識別を含む、請求項８に記載の装置。
【請求項１０】
一時的識別子が、第２のアクセスおよびモビリティ管理機能の識別を含む、請求項８または９に記載の装置。
【請求項１１】
少なくとも１つのメモリおよびコンピュータプログラムコードが、少なくとも１つのプロセッサを用いて、装置に、少なくとも、
第２のアクセスおよびモビリティ管理機能を利用できないことのインディケーションを受信させるように、さらに構成された、請求項８から１０のいずれか一項に記載の装置。
【請求項１２】
少なくとも１つのメモリおよびコンピュータプログラムコードが、少なくとも１つのプロセッサを用いて、装置に、少なくとも、
第２のアクセスおよびモビリティ管理機能を利用できないことのインディケーションを記憶させるように、さらに構成された、請求項８から１１のいずれか一項に記載の装置。
【請求項１３】
複数のアクセスおよびモビリティ管理機能の中から、アクセスおよびモビリティ管理機能を選択するために、少なくとも１つのメモリおよびコンピュータプログラムコードが、少なくとも１つのプロセッサを用いて、装置に、少なくとも、
第２のアクセスおよびモビリティ管理機能が利用できないことのインディケーションを検出させ、
複数のアクセスおよびモビリティ管理機能の中から第３のアクセスおよびモビリティ管理機能を選択させるように、さらに構成された、請求項１１または１２に記載の装置。
【請求項１４】
第２のアクセスおよびモビリティ管理機能を利用できないことのインディケーションが、第２のアクセスおよびモビリティ管理機能とアクセスネットワークとの間の制御プレーンインターフェースのリリースのインディケーション、および、ユーザ機器デバイスに関連付けられたユーザプレーンインターフェースの非リリースのインディケーションを備えた、請求項１１から１３のいずれか一項に記載の装置。
【請求項１５】
コンピュータにより実行可能なプログラムであって、プログラムがコンピュータで起動されたとき、コンピュータに、
第１のアクセスおよびモビリティ管理機能によってユーザ機器デバイスに割り当てられており、複数のアクセスおよびモビリティ管理機能の識別を含む一時的識別子を、アクセスネットワークによって受信し、
ユーザ機器デバイスのアイドルモードから接続モードへの移行を検出し、
一時的識別子に少なくとも部分的に基づいて、および、移行の検出に応答して、複数のアクセスおよびモビリティ管理機能の中から、アクセスおよびモビリティ管理機能を、アクセスネットワークによって選択し、
選択されたアクセスおよびモビリティ管理機能をユーザ機器デバイスへ割り当てる
ことを実施させる、コンピュータにより実行可能なプログラム。
【請求項１６】
装置とユーザ機器とを備えたシステムであって、装置が、少なくとも１つのプロセッサと、コンピュータプログラムコードを記憶した少なくとも１つのメモリとを備え、少なくとも１つのメモリおよびコンピュータプログラムコードが、プロセッサを用いて、装置に、少なくとも、
第１のアクセスおよびモビリティ管理機能によってユーザ機器デバイスに割り当てられており、複数のアクセスおよびモビリティ管理機能を示す識別を含む、一時的識別子を受信させ、
ユーザ機器デバイスのアイドルモードから接続モードへの移行を検出させ、
複数のアクセスおよびモビリティ管理機能の中から、第２のアクセスおよびモビリティ管理機能が利用できないことのインディケーションを受信させ、
一時的識別子およびインディケーションに少なくとも部分的に基づいて、および、移行の検出に応じて、複数のアクセスおよびモビリティ管理機能の中から、アクセスおよびモビリティ管理機能を選択させ、
選択されたアクセスおよびモビリティ管理機能をユーザ機器デバイスへ割り当てさせる
ように構成された、システム。
【請求項１７】
少なくとも１つのプロセッサと、コンピュータプログラムコードを記憶する少なくとも１つのメモリとを備えたユーザ機器デバイスであって、少なくとも１つのメモリおよびコンピュータプログラムコードが、プロセッサを用いて、装置に、少なくとも、
第１のアクセスおよびモビリティ管理機能によってユーザ機器デバイスに割り当てられており、複数のアクセスおよびモビリティ管理機能の識別を含む、一時的識別子を受信させ、
アイドルモードから接続モードへの移行を実施させ、
一時的識別子に少なくとも部分的に基づいた、複数のアクセスおよびモビリティ管理機能の中からのアクセスおよびモビリティ管理機能の選択を可能にするために、一時的識別子を送信させ、
選択されたアクセスおよびモビリティ管理機能の割当を受信させる
ように構成された、ユーザ機器デバイス。
【国際調査報告】
2020506624.tif 000008
2020506624.tif 000009
2020506624.tif 000010
2020506624.tif 000011
2020506624.tif 000012